(57)【要約】【課題】可搬型記録媒体に記録されているコンテンツデータを他の記録媒体に容易にコピーすることができる情報機器、管理サーバ及びコピー制御方法を提供する。【解決手段】情報記録再生装置１００は、コンテンツデータのコピーの許諾を要求するための特典取得コードを取得する入力処理部１１６と、コンテンツＩＤを光ディスク３１０から読み出す再生制御部１１８と、特典取得コード及びコンテンツＩＤをコピー管理サーバ２００へ送信するとともに、特典取得コード及びコンテンツＩＤの組合せに対して対応付けられている、光ディスク３１０から他の記録媒体へのコンテンツデータのコピーを許諾する条件を示すコピー許諾条件をコピー管理サーバ２００から受信する通信制御部１１４と、コピー許諾条件に応じて光ディスク３１０から他の記録媒体へコンテンツデータをコピーする録画制御部１２０とを備える。【選択図】図１
2018077930.tif 000002
【特許請求の範囲】
【請求項１】
可搬型記録媒体に記録されているコンテンツデータを他の記録媒体にコピーする情報機器であって、
前記コンテンツデータのコピーの許諾を要求するための許諾要求コードを取得する取得部と、
前記可搬型記録媒体に記録されている、前記コンテンツデータを識別するためのコンテンツ識別情報を前記可搬型記録媒体から読み出す読出部と、
前記許諾要求コード及び前記コンテンツ識別情報を管理サーバへ送信する送信部と、
前記許諾要求コード及び前記コンテンツ識別情報の組合せに対して対応付けられている、前記可搬型記録媒体から前記他の記録媒体への前記コンテンツデータのコピーを許諾する条件を示すコピー許諾条件と、コピー許可を示す情報とを含むコピー応答情報を前記管理サーバから受信する受信部と、
前記コピー許諾条件に応じて前記可搬型記録媒体から前記他の記録媒体へ前記コンテンツデータをコピーするコピー処理部と、
を備えた、
情報機器。
【発明の詳細な説明】
【技術分野】
【０００１】
本開示は、可搬型記録媒体に記録されているコンテンツデータを他の記録媒体にコピーする情報機器及びコピー制御方法、情報機器と通信可能に接続された管理サーバに関するものである。
【背景技術】
【０００２】
従来、可搬型記録媒体に記録されているコンテンツデータを他の記録媒体にコピーする技術として、“デジタルコピー”及び“マネージドコピー（Ｍａｎａｇｅｄ  Ｃｏｐｙ）”という２つの技術があるが、改善が必要であった。
【先行技術文献】
【特許文献】
【０００３】
【特許文献１】特開２０１１−２５４１３９号公報
【発明の概要】
【０００４】
本開示の非限定的で例示的な一態様は、可搬型記録媒体に記録されているコンテンツデータを他の記録媒体に容易にコピーすることができる情報機器である。
【０００５】
本開示の一態様の付加的な恩恵及び有利な点は本明細書及び図面から明らかとなる。この恩恵及び／又は有利な点は、本明細書及び図面に開示した様々な態様及び特徴により個別に提供され得るものであり、その１以上を得るために全てが必要ではない。
【０００６】
本開示の一態様に係る情報機器は、可搬型記録媒体に記録されているコンテンツデータを他の記録媒体にコピーする情報機器であって、前記コンテンツデータのコピーの許諾を要求するための許諾要求コードを取得する取得部と、前記可搬型記録媒体に記録されている、前記コンテンツデータを識別するためのコンテンツ識別情報を前記可搬型記録媒体から読み出す読出部と、前記許諾要求コード及び前記コンテンツ識別情報を管理サーバへ送信する送信部と、前記許諾要求コード及び前記コンテンツ識別情報の組合せに対して対応付けられている、前記可搬型記録媒体から前記他の記録媒体への前記コンテンツデータのコピーを許諾する条件を示すコピー許諾条件を前記管理サーバから受信する受信部と、前記コピー許諾条件に応じて前記可搬型記録媒体から前記他の記録媒体へ前記コンテンツデータをコピーするコピー処理部と、を備える。
【０００７】
なお、これらの包括的または具体的な態様は、システム、方法、集積回路、コンピュータプログラムまたはコンピュータ読み取り可能な記録媒体で実現されてもよく、装置、システム、方法、集積回路、コンピュータプログラムおよびコンピュータ読み取り可能な記録媒体の任意な組み合わせで実現されてもよい。コンピュータ読み取り可能な記録媒体は、例えばＣＤ−ＲＯＭ（ＣｏｍｐａｃｔＤｉｓｃ−Ｒｅａｄ  Ｏｎｌｙ  Ｍｅｍｏｒｙ）などの不揮発性の記録媒体を含む。
【０００８】
本開示によれば、コンテンツデータのコピーの許諾を要求するための許諾要求コードを用いて、可搬型記録媒体に記録されているコンテンツデータを他の記録媒体に容易にコピーすることができる。
【図面の簡単な説明】
【０００９】
【図１】本開示の実施の形態１に係るコピー制御システムの全体構成を示す図
【図２】実施の形態１のコピー制御システムにおけるコンテンツ複製処理の動作の概要の一例を示す図
【図３】Ｂｌｕ−ｒａｙ（登録商標）ディスク内のデータがコピーされることにより生成されるＢｌｕ−ｒａｙデータの構造を示す図
【図４】本実施の形態１における情報記録再生装置及びコピー管理サーバの動作の一例を示すフローチャート
【図５】ユーザに提示されるバインド方式選択画面の一例を示す図
【図６】本実施の形態１におけるコピー管理サーバ及びコンテンツプロバイダ管理サーバの動作の一例を示すフローチャート
【図７】本実施の形態１の変形例におけるコピー管理サーバ及びコンテンツプロバイダ管理サーバの動作の一例を示すフローチャート
【図８】実施の形態２のコピー制御システムにおけるコンテンツ複製処理の動作の概要の一例を示す図
【図９】ＳＦＦエクスポート処理によって生成されるＳＦＦデータの構造を示す図
【図１０】本開示の実施の形態２に係るコピー制御システムの全体構成を示す図
【図１１】本実施の形態２における情報記録再生装置及びコピー管理サーバの動作の一例を示す第１のフローチャート
【図１２】本実施の形態２における情報記録再生装置及びコピー管理サーバの動作の一例を示す第２のフローチャート
【図１３】本実施の形態２の変形例における情報記録再生装置及びコピー管理サーバの動作の一例を示すフローチャート
【図１４】本実施の形態３におけるＳＦＦエクスポート機能とエクスポートデータとの関係を説明するための図
【図１５】ＳＦＦエクスポート処理を行うＳＦＦ変換部の構成を示す図
【図１６】本開示の実施の形態３に係るコピー制御システムの全体構成を示す図
【図１７】本実施の形態３における情報記録再生装置及びコピー管理サーバの動作の一例を示すフローチャート
【図１８】本実施の形態３の変形例における情報記録再生装置及びコピー管理サーバの動作の一例を示す第１のフローチャート
【図１９】本実施の形態３の変形例における情報記録再生装置及びコピー管理サーバの動作の一例を示す第２のフローチャート
【図２０】本開示の実施の形態４に係るコピー制御システムの全体構成を示す図
【図２１】本実施の形態４におけるコピー管理サーバ及びコンテンツプロバイダ管理サーバの動作の一例を示すフローチャート
【図２２】本実施の形態４における情報記録再生装置及びコンテンツプロバイダ管理サーバの動作の一例を示すフローチャート
【図２３】本開示の実施の形態５に係るコピー制御システムの全体構成を示す図
【図２４】本実施の形態５におけるコピー管理サーバ及びコンテンツプロバイダ管理サーバの動作の一例を示すフローチャート
【図２５】本実施の形態５における情報記録再生装置、コピー管理サーバ及びコンテンツプロバイダ管理サーバの動作の一例を示す第１のフローチャート
【図２６】本実施の形態５における情報記録再生装置、コピー管理サーバ及びコンテンツプロバイダ管理サーバの動作の一例を示す第２のフローチャート
【図２７】本開示の実施の形態６に係るコピー制御システムの全体構成を示す図
【図２８】本実施の形態６における情報記録再生装置及びコピー管理サーバの動作の一例を示すフローチャート
【図２９】本実施の形態６における情報記録再生装置、コピー管理サーバ及びコンテンツプロバイダ管理サーバの動作の一例を示すフローチャート
【図３０】従来のデジタルコピーシステムを説明するための図
【発明を実施するための形態】
【００１０】
＜基礎となった知見＞
従来、可搬型記録媒体に記録されているコンテンツデータを他の記録媒体にコピーする技術として、“デジタルコピー”及び“マネージドコピー（Ｍａｎａｇｅｄ  Ｃｏｐｙ）”という２つの技術がある。２つの技術の各々について説明することで、本開示が解決する改良点を明確化する。
【００１１】
まず、デジタルコピーについて説明する。スマートフォン及びタブレット型コンピュータなどの普及により、映像コンテンツをこれらの機器にコピーして屋外でも視聴するユースケースが普及しつつある。米国ではこのようなユースケースを実現するサービスとしてデジタルコピーと呼ばれるシステムが普及している。日本でもこのようなシステムの変形として、ｅ−ｍｏｖｅ（登録商標）と呼ばれるサービスが導入されている。
【００１２】
図３０は、従来のデジタルコピーシステムを説明するための図である。ユーザは、Ｂｌｕ−ｒａｙ（登録商標）ディスク２３２０を一般の販売店などで購入し、Ｂｌｕ−ｒａｙディスク２３２０をレコーダ２１００において再生する。通常の再生においては、再生制御部２１２６は、Ｂｌｕ−ｒａｙディスク２３２０からコンテンツを読み出して復号などの処理を行う。そして、再生制御部２１２６は、テレビ２４００においてコンテンツを再生する。
【００１３】
さて、デジタルコピーなどのＢｌｕ−ｒａｙの付加価値サービスでは、購入したＢｌｕ−ｒａｙディスク２３２０のパッケージに認証コード２３３０が同梱されている。典型的には認証コード２３３０は、通常の書類に記載され、十数桁の英数字等で構成される。ユーザは、Ｂｌｕ−ｒａｙディスク２３２０からスマートフォン２５００又はタブレット型コンピュータ２５１０へコンテンツをコピーする場合には、英数字で構成される認証コード２３３０をレコーダ２１００のリモコン（図示なし）又はスマートフォンの赤外線リモコン機能等を利用して入力する。レコーダ２１００の入力受付部２１２９は、認証コード２３３０を受け付けると、受け付けた認証コード２３３０を管理サーバ２７００へ送信する。
【００１４】
ここで、複製管理部２７２１は、認証コード管理領域２７１１で管理されている認証コードの利用状況を確認する。複製管理部２７２１は、受け付けた認証コードが未使用であれば、レコーダ２１００に対して複製を許可する。レコーダ２１００の録画制御部２１２２は、複製が許可されると、Ｂｌｕ−ｒａｙディスク２３２０からコンテンツを読み出してスマートフォン２５００又はタブレット型コンピュータ２５１０に対してコピーする。
【００１５】
また、コンテンツを複製する際には、コンテンツプロバイダ又はサービスプロバイダが、どのユーザがコンテンツを複製したかを確認する場合がある。これは、各ユーザがどのようなコンテンツを購入し、複製しようとしているかを把握することによって、過去の同様のジャンルの作品を推奨したり、新たな映画がリリースされる際に個々のユーザにあわせたプロモーションなどを行ったりするためである。
【００１６】
このために、図３０に示すデジタルコピーシステムでは、ユーザが保有するパーソナルコンピュータ２８００、スマートフォン２５００又はタブレット型コンピュータ２５１０等を用いて、予めユーザが氏名、年齢、メールアドレス及び興味を持つ映画のジャンルなどの個人情報を入力する。管理サーバ２７００の個人情報制御部２７２２は、入力された個人情報を受信すると、ユーザを識別するためのＩＤを発行し、表示部２８０２に表示する。なお、入力された個人情報は、個人情報管理領域２７１２で蓄積される。
【００１７】
この場合、入力受付部２１２９は、認証コード２３３０の入力を受け付ける際に、十数桁の英数字の入力を受け付けることに加えて、ユーザを識別するためのユーザＩＤの入力も受け付ける。これによって、管理サーバ２７００は、各ユーザがどのような映像コンテンツに対して複製を要求したかを知ることが可能となる。ユーザがどのようなコンテンツを複製したかに関する情報は、個人情報管理領域２７１２に蓄積される。
【００１８】
さて、このような従来のデジタルコピーシステムでは、管理サーバ２７００は、コンテンツプロバイダ又はサービスプロバイダ毎に運営されることとなる。しかしながら、複数のコンテンツプロバイダ又は複数のサービスプロバイダが存在するため、このような運営形態ではレコーダ２１００はこれら複数のシステムに対応することが必要となる。全てのシステムへの対応を保障することは非常に困難であるため、実際には一つ又は二つのシステムへの対応しか行われていなかった。
【００１９】
このような問題を回避するためには、コンテンツプロバイダ又はサービスプロバイダとは独立した事業者が管理サーバ２７００を運営することが想定される。しかしながら、この場合には、個人情報管理領域２７１２で管理されている個人情報をどのようにしてコンテンツプロバイダ又はサービスプロバイダに渡すかが問題となる。別の事業者として管理しているデータについては、個人情報保護の観点からユーザの同意なくコンテンツプロバイダ又はサービスプロバイダには提供することができないという課題がある。
【００２０】
次に、マネージドコピーについて説明する。マネージドコピーとデジタルコピーとの一番の違いは、上記のデジタルコピーでは、レコーダで再生することを目的にしたＢｌｕ−ｒａｙディスク内の主コンテンツとは別のコンテンツが準備される。その別のコンテンツは、主コンテンツと同一のＢｌｕ−ｒａｙディスク内、ＤＶＤ等の別のディスク内、または、ネットワークから取得され、スマートフォン、タブレット型コンピュータ又はパーソナルコンピュータ等で再生される。
【００２１】
これに対し、マネージドコピーでは、デジタルコピーと異なり、主コンテンツは、そのまま、又は、フォーマットが変換されて、又は、ダウンコンバートされた後に再圧縮されて、Ｂｌｕ−ｒａｙディスク以外のＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＳＤカードのようなメディアカード、スマートフォンの本体、又はタブレット型コンピュータの本体等にコピーされる。これにより、マネージドコピーでは、レコーダなしで視聴することを実現する。
【００２２】
マネージドコピーの技術的な内容は、「Ａｄｖａｎｃｅｄ  Ａｃｃｅｓｓ  Ｃｏｎｔｅｎｔ  Ｓｙｓｔｅｍ（ＡＡＣＳ）  Ｂｌｕ−ｒａｙ  Ｄｉｓｃ  Ｐｒｅ−ｒｅｃｏｒｄｅｄ  Ｂｏｏｋ  Ｒｅｖｉｓｉｏｎ  ０．９５２  Ｆｉｎａｌ  Ｊｕｌｙ  １４，２０１１」に記載されている。ここには、現状のＢｌｕ−ｒａｙ用の著作権保護技術である、ＡＡＣＳで規定されたマネージドコピーの実現方法の詳細が記載されている。
【００２３】
マネージドコピーの基本概念は、著作権者の了解を得た上で、ＡＡＣＳが指定した著作権保護技術に対してコピーを許す。この際に、ユーザは、著作権者が指定した対価を支払ってコピーする。そのため、マネージドコピーシステムでは、何らかの課金処理が必要になる。また、著作権保護技術の規定は厳密であるが、ファイルの扱いについては、ファイルをそのままコピーすることも、ファイルの一部をコピーすることも、ＭＰＥＧ圧縮された映像を復号してダウンコンバージョンした後に再圧縮することも許している。そのため、マネージドコピーは、処理が複雑になった上、再圧縮には非常に時間がかかる。したがって、マネージドコピーは、ネットワーク経由でコンテンツをダウンロードするデジタルコピーと比較して、メリットが少ないという課題がある。
【００２４】
このように、デジタルコピーは、ネットワーク経由でコンテンツをコピーするパーソナルコンピュータに対しては普及の可能性があるが、民生機器では実装できない。
【００２５】
また、デジタルコピーでは、Ｂｌｕ−ｒａｙディスク内の映画本編（主コンテンツ）とは別の低画質のコンテンツを準備する必要がある。
【００２６】
さらに、デジタルコピーでは、ネットワーク経由で顧客情報の取得が可能であるが、管理サーバを個々のプロバイダで運用する必要があり、複数のプロバイダが共通の管理サーバ等で顧客情報を管理することが困難である。
【００２７】
マネージドコピーは、課金処理等を実装する必要があるため、民生機器で実現するのは困難である。パーソナルコンピュータではマネージドコピーを実現可能であるが、パーソナルコンピュータでのＢｌｕ−ｒａｙドライブの普及は非常に限定的である。
【００２８】
また、マネージドコピーでは、Ｂｌｕ−ｒａｙディスク内のコンテンツをそのままコピーする場合は、画質も良く、転送速度も速く魅力的である。しかしながら、容量を減らすために画質を下げてコンテンツを転送する場合は、転送速度が非常に遅くなる。そのため、デジタルコピーを用いてネットワーク経由でコンテンツをコピーする方が簡単である。
【００２９】
さらに、マネージドコピーで使用される管理サーバでは、マネージドコピーの課金処理を行う必要があるため、顧客情報を収集することは可能であるが、更に処理が複雑になる等の理由から顧客情報の収集は規定されていない。
【００３０】
著作権者が、Ｂｌｕ−ｒａｙディスク内のコンテンツを合法的に、Ｂｌｕ−ｒａｙ録画機等の録画サーバ、又はスマートフォン及びタブレット型コンピュータ等のモバイル機器にコピーして、コンテンツをＢｌｕ−ｒａｙディスクなしに視聴可能にすることを許可する背景には、下記の２つの理由がある。
【００３１】
第１に、スマートフォン及びタブレット型コンピュータが普及し、これらのモバイル機器が、従来のノート型パーソナルコンピュータ又は携帯型ＤＶＤプレーヤに代わって、携帯機器の映像視聴環境の主役になってきた。このようなモバイル機器をターゲットにして、映画配信サービスが普及している。Ｂｌｕ−ｒａｙディスクはパッケージメディアとしてユーザの所有欲を満たし、最高画質の映像を大型テレビで視聴するユーザのユースケースには依然マッチするが、スマートフォン又はタブレット型コンピュータ等に所望のコンテンツを格納して持ち歩き、様々な場所で視聴するユーザのユースケースには対応できていない。このため、Ｂｌｕ−ｒａｙディスクの売り上げを伸ばすためには、両方のユーザのニーズ合わせる必要がある。このため、デジタルコピー技術又はマネージドコピー技術により、モバイル機器でコンテンツを視聴するユーザのユースケースに対応する必要がある。
【００３２】
第２に、現在、顧客情報を使ったビッグデータ処理をマーケティングに応用することが一般化し、Ｗｅｂ販売業者が、顧客の購入履歴に応じた、コンテンツの紹介機能等を通じ顧客を囲い込み、売上を伸ばしている。特に、映像コンテンツの場合は、Ｂｌｕ−ｒａｙディスク又はＤＶＤのようなパッケージメディアによる販売に加え、デジタル映像配信サービスによる販売も可能である。そのため、Ｂｌｕ−ｒａｙディスク又はＤＶＤの購入履歴に応じたパッケージメディアの推薦に加え、ビデオ・オン・デマンド（ＶＯＤ）又は月額定額制映像配信サービスへの効果的な誘導も可能になり、映像著作権者の脅威になっている。このため、Ｂｌｕ−ｒａｙディスク等のパッケージメディアの販売時に、デジタルコピー又はマネージドコピーの権利を提供することで、パッケージメディアから自社のデジタルコンテンツ販売サイトへ誘導することができる。また、顧客情報の入力を複製の権利取得の条件にすることにより、顧客情報の取得を可能にする。
【００３３】
上記２つの理由により、映像コンテンツプロバイダは、従来のコピーを禁止する方針を転換して、デジタルコピー又はマネージドコピーの提供を進めている。ただし、デジタルコピー及びマネージドコピーはそれぞれ下記の欠点があり、日本を含めた米国以外の国では普及していない。
【００３４】
デジタルコピーでは、Ｂｌｕ−ｒａｙディスク内にコンテンツを格納した場合に、各国毎に専用のコンテンツを、複数の国に共通のＢｌｕ−ｒａｙディスクに格納することが困難である。そのため、各国の事情に合わせたプロモーションを実施するのが困難である。ＤＶＤを配る場合は、各国独自のプロモーションは可能になるが、ＤＶＤ製造コストが余計にかかる。Ｂｌｕ−ｒａｙディスクの購入者に対してコンテンツ配信（コンテンツダウンロード）の権利を付与する場合は、Ｂｌｕ−ｒａｙディスクやＤＶＤのような欠点は無い。しかしながら、デジタルコンテンツを配信するために、個々の映画会社がＷｅｂサーバを管理する必要があり、コストがかかる。
【００３５】
また、Ｂｌｕ−ｒａｙディスク又はＤＶＤからコンテンツをＨＤＤ、モバイル機器又はメディアカードに転送する場合に比べ、ネットワーク経由でコンテンツを取得する場合は大幅に時間がかかるという問題もある。また、Ｂｌｕ−ｒａｙディスク内の主コンテンツとは異なる映像（特典映像、又は、映像品質が劣ったバージョンの本編映像）が提供される。そのため、コピー可能なコンテンツは、モバイル機器で視聴するには十分であっても、大型テレビで視聴する場合は、元のＢｌｕ−ｒａｙディスクの画質に比べ、劣るという本質的な課題がある。
【００３６】
マネージドコピーは、上記デジタルコピーの欠点を補うために、開発された技術であり、Ｂｌｕ−ｒａｙディスクの主コンテンツの映像をそのままの画質でコピーしたり、モバイル機器で利用するために、映像の品質を落とす代わりに、データサイズを小さくしたりした方式である。また、Ｂｌｕ−ｒａｙディスク内の主コンテンツがそのまま、又は品質を落としてコピーされるために、Ｂｌｕ−ｒａｙディスク、ＤＶＤ又はネットワーク上に別のコンテンツを準備する必要が無く、デジタルコピーの多くの欠点を克服することが期待されていた。
【００３７】
しかし、現状のＡＡＣＳで規定されたマネージドコピーには、課金処理等を実装する必要があるという重大な課題があり、この克服が困難なため、２０１４年２月の時点で実運用されていない。既に説明したように、マネージドコピーを行う機器と、マネージドコピーを管理するサーバと、コンテンツ製作会社と、課金処理との関係が密に結合しており、マネージドコピーでは、サーバの処理が複雑になる。
【００３８】
コンテンツ製作会社にとっては、自分のサーバではないため、各コンテンツ又は時期に応じた適切なプロモーションを行うのが困難である。更に、マネージドコピー機器をパーソナルコンピュータのソフトウエアで実現する場合はともかく、マネージドコピー機器を民生機器で実現する場合、課金処理を実装することが困難である。さらに、複数の課金処理及び複雑なコンテンツ製作会社の要望に応えることは民生機器では困難である。このような理由により、規格が策定されたのにも関わらず、サービスが開始されていない。
【００３９】
そこで、本開示の一局面に係る情報機器は、可搬型記録媒体に記録されているコンテンツデータを他の記録媒体にコピーする情報機器であって、前記コンテンツデータのコピーの許諾を要求するための許諾要求コードを取得する取得部と、前記可搬型記録媒体に記録されている、前記コンテンツデータを識別するためのコンテンツ識別情報を前記可搬型記録媒体から読み出す読出部と、前記許諾要求コード及び前記コンテンツ識別情報を管理サーバへ送信する送信部と、前記許諾要求コード及び前記コンテンツ識別情報の組合せに対して対応付けられている、前記可搬型記録媒体から前記他の記録媒体への前記コンテンツデータのコピーを許諾する条件を示すコピー許諾条件を前記管理サーバから受信する受信部と、前記コピー許諾条件に応じて前記可搬型記録媒体から前記他の記録媒体へ前記コンテンツデータをコピーするコピー処理部と、を備える。
【００４０】
この構成によれば、コンテンツデータのコピーの許諾を要求するための許諾要求コードが取得される。可搬型記録媒体に記録されている、コンテンツデータを識別するためのコンテンツ識別情報が可搬型記録媒体から読み出される。許諾要求コード及びコンテンツ識別情報が管理サーバへ送信される。許諾要求コード及びコンテンツ識別情報の組合せに対して対応付けられている、可搬型記録媒体から他の記録媒体へのコンテンツデータのコピーを許諾する条件を示すコピー許諾条件が管理サーバから受信される。コピー許諾条件に応じて可搬型記録媒体から他の記録媒体へコンテンツデータがコピーされる。
【００４１】
したがって、コンテンツデータのコピーの許諾を要求するための許諾要求コードを用いて、可搬型記録媒体に記録されているコンテンツデータを他の記録媒体に容易にコピーすることができる。
【００４２】
また、上記の情報機器において、例えば、前記取得部は、ユーザを識別するためのユーザ識別情報の入力を受け付け、受け付けた前記ユーザ識別情報を前記許諾要求コードとして取得してもよい。
【００４３】
この構成によれば、ユーザを識別するためのユーザ識別情報の入力が受け付けられ、受け付けられたユーザ識別情報が許諾要求コードとして取得されるので、ユーザ識別情報が入力されることにより、可搬型記録媒体に記録されているコンテンツデータを他の記録媒体に容易にコピーすることができる。また、ユーザ識別情報を情報機器に登録することによって、コピーするたびにユーザ識別情報を入力する必要が無くなり、より簡単に可搬型記録媒体に記録されているコンテンツデータを他の記録媒体に容易にコピーすることができる。
【００４４】
また、上記の情報機器において、例えば、前記コピー許諾条件は、コピー後の前記コンテンツデータのファイル形式を、予め指定した複数のファイル形式の中から選択する条件を含み、前記コピー処理部は、前記複数のファイル形式の中から１のファイル形式のユーザによる選択を受け付け、受け付けられた前記ファイル形式により前記コンテンツデータをコピーしてもよい。
【００４５】
この構成によれば、コピー許諾条件は、コピー後のコンテンツデータのファイル形式を、予め指定した複数のファイル形式の中から選択する条件を含む。そして、複数のファイル形式の中から１のファイル形式のユーザによる選択が受け付けられ、受け付けられたファイル形式によりコンテンツデータがコピーされる。
【００４６】
したがって、コンテンツプロバイダは、コピー後のコンテンツデータのファイル形式を指定することができるので、コピー後のコンテンツデータの画質及びファイル形式の変換に要する処理時間を変更することができる。
【００４７】
また、上記の情報機器において、例えば、前記複数のファイル形式は、トランスポートストリーム形式及びＭＰ４形式を含んでもよい。
【００４８】
この構成によれば、トランスポートストリーム形式及びＭＰ４形式の中から１のファイル形式を選択することができるので、コピー後のコンテンツデータの画質及びコピー後のコンテンツデータを再生する機器に応じて最適なファイル形式を選択することができる。
【００４９】
また、上記の情報機器において、例えば、前記コピー許諾条件は、特定の機器へのコピーのみを許諾する第１の条件、特定の種類の記録媒体へのコピーのみを許諾する第２の条件、及びネットワーク上の特定のドメインへのコピーのみを許諾する第３の条件を含み、前記コピー処理部は、前記第１の条件、前記第２の条件及び前記第３の条件のうちのいずれか１つのユーザによる選択を受け付け、受け付けられた前記第１の条件、前記第２の条件及び前記第３の条件のうちのいずれか１つにより前記コンテンツデータをコピーしてもよい。
【００５０】
この構成によれば、コピー許諾条件は、特定の機器へのコピーのみを許諾する第１の条件、特定の種類の記録媒体へのコピーのみを許諾する第２の条件、及びネットワーク上の特定のドメインへのコピーのみを許諾する第３の条件を含む。そして、第１の条件、第２の条件及び第３の条件のうちのいずれか１つのユーザによる選択が受け付けられ、受け付けられた第１の条件、第２の条件及び第３の条件のうちのいずれか１つによりコンテンツデータがコピーされる。
【００５１】
したがって、コンテンツプロバイダは、コンテンツデータのコピー先を指定することができるので、コンテンツプロバイダが希望する著作権保護方式を採用しているコピー先のみに、コンテンツデータのコピーを許可することができる。
【００５２】
また、上記の情報機器において、例えば、前記コピー処理部は、特定の機器へのコピーのみを許諾するデバイスバインド方式、特定の種類の記録媒体へのコピーのみを許諾するメディアバインド方式、ネットワーク上の特定のドメインへのコピーのみを許諾するドメインバインド方式のうちのいずれか１つのユーザによる選択を受け付け、受け付けられたバインド方式で前記コンテンツデータをコピーし、前記送信部は、前記コピー処理部による前記コンテンツデータのコピー結果を前記管理サーバへ送信し、前記コピー結果は、前記コピー処理部が前記コンテンツデータをコピーした際の前記バインド方式を示す情報を含んでもよい。
【００５３】
本開示の他の局面に係る管理サーバは、可搬型記録媒体に記録されているコンテンツデータを他の記録媒体にコピーする情報機器と通信可能に接続された管理サーバであって、前記コンテンツデータを識別するためのコンテンツ識別情報及び前記コンテンツデータのコピーの許諾を要求するための許諾要求コードの組合せと、前記可搬型記録媒体から前記他の記録媒体への前記コンテンツデータのコピーを許諾する条件を示すコピー許諾条件とを対応付けて記憶するコピー許諾条件記憶部と、前記許諾要求コード及び前記コンテンツ識別情報を前記情報機器から受信する受信部と、受信した前記許諾要求コード及び前記コンテンツ識別情報の組合せに対応付けられている前記コピー許諾条件を前記コピー許諾条件記憶部から読み出す読出部と、読み出した前記コピー許諾条件を前記情報機器に送信する送信部と、備える。
【００５４】
この構成によれば、コンテンツデータを識別するためのコンテンツ識別情報及びコンテンツデータのコピーの許諾を要求するための許諾要求コードの組合せと、可搬型記録媒体から他の記録媒体へのコンテンツデータのコピーを許諾する条件を示すコピー許諾条件とが対応付けてコピー許諾条件記憶部に記憶される。許諾要求コード及びコンテンツ識別情報が情報機器から受信される。受信された許諾要求コード及びコンテンツ識別情報の組合せに対応付けられているコピー許諾条件がコピー許諾条件記憶部から読み出される。読み出されたコピー許諾条件が情報機器に送信される。
【００５５】
したがって、コンテンツデータのコピーの許諾を要求するための許諾要求コードを用いて、可搬型記録媒体に記録されているコンテンツデータを他の記録媒体に容易にコピーすることができる。
【００５６】
また、上記の管理サーバにおいて、例えば、前記許諾要求コードは、ユーザを識別するためのユーザ識別情報を含んでもよい。
【００５７】
この構成によれば、ユーザ識別情報が入力されることにより、可搬型記録媒体に記録されているコンテンツデータを他の記録媒体に容易にコピーすることができる。また、ユーザ識別情報を情報機器に登録することによって、コピーするたびにユーザ識別情報を入力する必要が無くなり、より簡単に可搬型記録媒体に記録されているコンテンツデータを他の記録媒体に容易にコピーすることができる。
【００５８】
また、上記の管理サーバにおいて、例えば、前記コンテンツ識別情報と組合せて管理される前記許諾要求コードを生成する生成部と、生成した前記許諾要求コードを前記コピー許諾条件記憶部に登録する許諾要求コード登録部と、前記許諾要求コード及び前記コンテンツ識別情報を、前記可搬型記録媒体を製造するコンテンツプロバイダが運営するサーバに提供する提供部とをさらに備えてもよい。
【００５９】
この構成によれば、コンテンツ識別情報と組合せて管理される許諾要求コードが生成される。生成された許諾要求コードがコピー許諾条件記憶部に登録される。許諾要求コード及びコンテンツ識別情報が、可搬型記録媒体を製造するコンテンツプロバイダが運営するサーバに提供される。
【００６０】
したがって、管理サーバにおいて、許諾要求コードが生成されて管理されるので、コンテンツプロバイダは、許諾要求コードを管理する必要が無い。そのため、小規模のコンテンツプロバイダであっても、本コピー機能を利用することができる。
【００６１】
また、上記の管理サーバにおいて、例えば、前記コンテンツ識別情報及び前記ユーザ識別情報の組合せと、前記組合せに対して対応付けられているコピー許諾条件とを、前記可搬型記録媒体を製造するコンテンツプロバイダが運営するサーバから取得する取得部と、取得された前記コンテンツ識別情報、前記ユーザ識別情報及び前記コピー許諾条件を前記コピー許諾条件記憶部に登録するコピー許諾条件登録部とをさらに備えてもよい。
【００６２】
この構成によれば、コンテンツ識別情報及びユーザ識別情報の組合せと、組合せに対して対応付けられているコピー許諾条件とが、可搬型記録媒体を製造するコンテンツプロバイダが運営するサーバから取得される。取得されたコンテンツ識別情報、ユーザ識別情報及びコピー許諾条件がコピー許諾条件記憶部に登録される。
【００６３】
したがって、ユーザを識別するためのユーザ識別情報を用いて、可搬型記録媒体に記録されているコンテンツデータを他の記録媒体に容易にコピーすることができる。
【００６４】
また、上記の管理サーバにおいて、例えば、前記コピー許諾条件を送信した前記情報機器から、前記コンテンツデータをコピーした際のバインド方式を示す情報を含むコピー結果を受信する結果受信部と、受信された前記バインド方式が、前記許諾要求コード及び前記コンテンツ識別情報の組合せに対応付けられている前記コピー許諾条件で許可されていない場合に、前記情報機器に対して異常を通知する異常送信部とを備えてもよい。
【００６５】
本開示の他の局面に係るコピー制御方法は、可搬型記録媒体に記録されているコンテンツデータを他の記録媒体にコピーするコピー制御方法であって、前記コンテンツデータのコピーの許諾を要求するための許諾要求コードを取得する取得ステップと、前記可搬型記録媒体に記録されている、前記コンテンツデータを識別するためのコンテンツ識別情報を前記可搬型記録媒体から読み出す読出ステップと、前記許諾要求コード及び前記コンテンツ識別情報を管理サーバへ送信する送信ステップと、前記許諾要求コード及び前記コンテンツ識別情報の組合せに対して対応付けられている、前記可搬型記録媒体から前記他の記録媒体への前記コンテンツデータのコピーを許諾する条件を示すコピー許諾条件を前記管理サーバから受信する受信ステップと、前記コピー許諾条件に応じて前記可搬型記録媒体から前記他の記録媒体へ前記コンテンツデータをコピーするコピー処理ステップと、を含む。
【００６６】
この構成によれば、コンテンツデータのコピーの許諾を要求するための許諾要求コードが取得される。可搬型記録媒体に記録されている、コンテンツデータを識別するためのコンテンツ識別情報が可搬型記録媒体から読み出される。許諾要求コード及びコンテンツ識別情報が管理サーバへ送信される。許諾要求コード及びコンテンツ識別情報の組合せに対して対応付けられている、可搬型記録媒体から他の記録媒体へのコンテンツデータのコピーを許諾する条件を示すコピー許諾条件が管理サーバから受信される。コピー許諾条件に応じて可搬型記録媒体から他の記録媒体へコンテンツデータがコピーされる。
【００６７】
したがって、コンテンツデータのコピーの許諾を要求するための許諾要求コードを用いて、可搬型記録媒体に記録されているコンテンツデータを他の記録媒体に容易にコピーすることができる。
【００６８】
また、上記のコピー制御方法において、例えば、前記取得ステップは、ユーザを識別するためのユーザ識別情報の入力を受け付け、受け付けた前記ユーザ識別情報を前記許諾要求コードとして取得してもよい。
【００６９】
この構成によれば、ユーザを識別するためのユーザ識別情報の入力が受け付けられ、受け付けられたユーザ識別情報が許諾要求コードとして取得されるので、ユーザ識別情報が入力されることにより、可搬型記録媒体に記録されているコンテンツデータを他の記録媒体に容易にコピーすることができる。また、ユーザ識別情報を情報機器に登録することによって、コピーするたびにユーザ識別情報を入力する必要が無くなり、より簡単に可搬型記録媒体に記録されているコンテンツデータを他の記録媒体に容易にコピーすることができる。
【００７０】
また、上記のコピー制御方法において、例えば、前記コピー許諾条件は、コピー後の前記コンテンツデータのファイル形式を、予め指定した複数のファイル形式の中から選択する条件を含み、前記コピー処理ステップは、前記複数のファイル形式の中から１のファイル形式のユーザによる選択を受け付け、受け付けられた前記ファイル形式により前記コンテンツデータをコピーしてもよい。
【００７１】
この構成によれば、コピー許諾条件は、コピー後のコンテンツデータのファイル形式を、予め指定した複数のファイル形式の中から選択する条件を含む。そして、複数のファイル形式の中から１のファイル形式のユーザによる選択が受け付けられ、受け付けられたファイル形式によりコンテンツデータがコピーされる。
【００７２】
したがって、コンテンツプロバイダは、コピー後のコンテンツデータのファイル形式を指定することができるので、コピー後のコンテンツデータの画質及びファイル形式の変換に要する処理時間を変更することができる。
【００７３】
また、上記のコピー制御方法において、例えば、前記複数のファイル形式は、トランスポートストリーム形式及びＭＰ４形式を含んでもよい。
【００７４】
この構成によれば、トランスポートストリーム形式及びＭＰ４形式の中から１のファイル形式を選択することができるので、コピー後のコンテンツデータの画質及びコピー後のコンテンツデータを再生する機器に応じて最適なファイル形式を選択することができる。
【００７５】
また、上記のコピー制御方法において、例えば、前記コピー許諾条件は、特定の機器へのコピーのみを許諾する第１の条件、特定の種類の記録媒体へのコピーのみを許諾する第２の条件、及びネットワーク上の特定のドメインへのコピーのみを許諾する第３の条件を含み、前記コピー処理ステップは、前記第１の条件、前記第２の条件及び前記第３の条件のうちのいずれか１つのユーザによる選択を受け付け、受け付けられた前記第１の条件、前記第２の条件及び前記第３の条件のうちのいずれか１つにより前記コンテンツデータをコピーしてもよい。
【００７６】
この構成によれば、コピー許諾条件は、特定の機器へのコピーのみを許諾する第１の条件、特定の種類の記録媒体へのコピーのみを許諾する第２の条件、及びネットワーク上の特定のドメインへのコピーのみを許諾する第３の条件を含む。そして、第１の条件、第２の条件及び第３の条件のうちのいずれか１つのユーザによる選択が受け付けられ、受け付けられた第１の条件、第２の条件及び第３の条件のうちのいずれか１つによりコンテンツデータがコピーされる。
【００７７】
したがって、コンテンツプロバイダは、コンテンツデータのコピー先を指定することができるので、コンテンツプロバイダが希望する著作権保護方式を採用しているコピー先のみに、コンテンツデータのコピーを許可することができる。
【００７８】
本開示は、ネットワークを介して互いに接続可能な民生の情報記録再生装置とコピー管理サーバとの連携により、Ｂｌｕ−ｒａｙディスク内の超高画質の映像コンテンツを、家庭内のＢｌｕ−ｒａｙレコーダ又はホームサーバに格納したり、家の外に持ち出してスマートフォン又はタブレット型コンピュータ等で視聴したりする環境を容易に実現する。
【００７９】
Ｂｌｕ−ｒａｙ機器は、Ｂｌｕ−ｒａｙドライブと、内蔵ＨＤＤ、ポータブルＨＤＤ、ＳＤカードのようなメディアカード、スマートフォン又はタブレット型コンピュータとを接続する。Ｂｌｕ−ｒａｙ機器は、Ｂｌｕ−ｒａｙディスクから読み出したコンテンツを格納するためのＵＳＢ端子又はＷｉ−ｆｉを備える。Ｂｌｕ−ｒａｙ機器は、特典取得コード又はユーザＩＤ（ユーザ識別情報）を入力する手段と、Ｂｌｕ−ｒａｙディスク内のコンテンツＩＤ（コンテンツ識別情報）を読み出す手段と、機器ＩＤ（機器識別情報）を読み出す手段とを備える。Ｂｌｕ−ｒａｙ機器は、コピー管理サーバに、コンテンツＩＤと機器ＩＤと特典取得コード又はユーザＩＤとを送信し、コピー管理サーバからコピー許諾条件を受信し、受信したコピー許諾条件をユーザに提示して、コピーするコンテンツのファイル形式（Ｂｌｕ−ｒａｙデータ形式又はＳＦＦ形式等）と対象ＤＲＭ（Ｄｉｇｉｔａｌ  Ｒｉｇｈｔｓ  Ｍａｎａｇｅｍｅｎｔ）と機器とをユーザに選択させ、選択内容に応じてＢｌｕ−ｒａｙディスクからコンテンツデータをコピーする。
【００８０】
コピー管理サーバは、コンテンツプロバイダの要求に応じでコンテンツＩＤ及び特典取得コードの組合せとコピー許諾条件（コピー回数、コピーのファイル形式、ＤＲＭ又はデジタル小売業者等）とを特典取得コード管理データベース（ＤＢ）に登録し、特典取得コード管理ＤＢを維持管理する。
【００８１】
コピー管理サーバは、特典取得コード管理ＤＢを使うことにより、Ｂｌｕ−ｒａｙ機器からの問い合わせ（コンテンツＩＤ、機器ＩＤ、及び特典取得コード又はユーザＩＤ）に応じ、不適切な機器を排除した上で、適切な条件でのコピーの許諾を返答することができる。同時に、コピー管理サーバは、直接個人情報を管理しないで、特定機器のユーザがどのようなコンテンツをコピーしたかを把握することが可能になる。
【００８２】
コンテンツプロバイダ管理サーバは、コピー管理サーバ内のコンテンツＩＤと特典取得コードとの組合せに関連付けられているコピー許諾条件、又は、コンテンツＩＤ及びユーザＩＤの組合せに関連付けられているコピー許諾条件のみを管理させることにより、多様な課金処理又は販売条件でのコンテンツのコピー機能の販売が可能になる。
【００８３】
デジタル小売業者は、コンテンツプロバイダからコンテンツのコピー機能の販売許諾を得れば、通常のデジタルコンテンツと同様にコピー権を販売することができる。
【００８４】
以下添付図面を参照しながら、本開示の実施の形態について説明する。なお、以下の実施の形態は、本開示を具体化した一例であって、本開示の技術的範囲を限定するものではない。
【００８５】
（実施の形態１）
図１は、本開示の実施の形態１に係るコピー制御システムの全体構成を示す図である。
【００８６】
図１に示すコピー制御システムは、情報記録再生装置１００、コピー管理サーバ２００、コンテンツプロバイダ管理サーバ４００、テレビ５００及びスマートフォン５１０を備える。
【００８７】
情報記録再生装置１００は、システム制御部１１０、機器ＩＤ記憶部１１２、通信制御部１１４、入力処理部１１６、再生制御部１１８、録画制御部１２０、暗号処理部１２２、記録装置制御部１３０、光ディスクドライブ１３２及び機器バインド型録画機器１３４を備える。
【００８８】
システム制御部１１０は、情報記録再生装置１００の全体を制御する。機器ＩＤ記憶部１１２は、情報記録再生装置１００を識別するための機器ＩＤを記憶する。通信制御部１１４は、コピー管理サーバ２００との通信を制御するとともに、スマートフォン５１０及びタブレット型コンピュータ５２０等のモバイル機器との通信を制御する。入力処理部１１６は、光ディスク３１０に記録されているコンテンツデータのコピーの許諾を要求するための特典取得コード３３０の入力処理を行う。入力処理部１１６は、特典取得コードを取得する。
【００８９】
再生制御部１１８は、光ディスク３１０に記録されているコンテンツデータを再生し、テレビ５００等の表示装置に映像信号を伝送する。なお、本実施の形態における光ディスク３１０は、Ｂｌｕ−ｒａｙディスクであるが、特にこれに限定されず、ＣＤ又はＤＶＤであってもよく、可搬型記録媒体であればよい。光ディスク３１０は、コンテンツデータを識別するためのコンテンツＩＤを記録しており、再生制御部１１８は、光ディスク３１０からコンテンツＩＤを読み出す。
【００９０】
録画制御部１２０は、光ディスク３１０から読み出したコンテンツデータを他の記録媒体に記録する。暗号処理部１２２は、コンテンツデータを暗号化する。記録装置制御部１３０は、光ディスクドライブ１３２及び機器バインド型録画機器１３４を制御する。機器バインド型録画機器１３４は、例えばハードディスクドライブ（ＨＤＤ）である。なお、情報記録再生装置１００にメディアバインド型録画機器１３６及びメモリカード１３８が接続されている場合、記録装置制御部１３０は、メディアバインド型録画機器１３６及びメモリカード１３８を制御する。メディアバインド型録画機器１３６は、例えば外付けのハードディスクドライブ（ＨＤＤ）である。メモリカード１３８は、例えばＳＤメモリカードである。
【００９１】
通信制御部１１４は、機器ＩＤ、特典取得コード及びコンテンツＩＤをコピー管理サーバ２００へ送信する。なお、通信制御部１１４は、特典取得コード及びコンテンツＩＤのみを管理サーバへ送信してもよい。また、通信制御部１１４は、特典取得コード及びコンテンツＩＤの組合せに対して対応付けられている、光ディスク３１０から他の記録媒体へのコンテンツデータのコピーを許諾する条件を示すコピー許諾条件をコピー管理サーバ２００から受信する。
【００９２】
録画制御部１２０は、コピー許諾条件に応じて光ディスク３１０から他の記録媒体へコンテンツデータをコピーする。
【００９３】
光ディスク３１０が挿入され、光ディスク３１０に記録されているコンテンツデータを他の記録媒体にコピーする機能がユーザによって選択され、特典取得コードがユーザによって入力された場合、録画制御部１２０は、コピー管理サーバ２００に対し、コンテンツデータのコピーの許諾を要求するコピー許諾要求を送信する。なお、コピー許諾要求は、特典取得コード、コンテンツＩＤ及び機器ＩＤを含む。録画制御部１２０は、コピー管理サーバ２００から受信したコピー許諾条件を取得し、取得したコピー許諾条件をユーザに提示して、ユーザにコピーするコンテンツデータのファイル形式（Ｂｌｕ−ｒａｙデータ形式又はＳＦＦ形式等）、バインド方式、及びコピー先のうちの少なくとも１つを選択させ、選択内容に応じてコンテンツデータをコピーする。
【００９４】
コピー許諾条件は、特定の機器へのコピーのみを許諾する第１の条件（デバイスバインド）、特定の種類の記録媒体へのコピーのみを許諾する第２の条件（メディアバインド）、及びネットワーク上の特定のドメインへのコピーのみを許諾する第３の条件（ドメインバインド）を含む。録画制御部１２０は、第１の条件、第２の条件及び第３の条件のうちのいずれか１つのユーザによる選択を受け付け、受け付けられた第１の条件、第２の条件及び第３の条件のうちのいずれか１つによりコンテンツデータをコピーする。
【００９５】
コピー管理サーバ２００は、複製処理管理部２１０、特典取得コード管理ＤＢ２２０及びコピー不可機器管理ＤＢ２３０を備える。
【００９６】
複製処理管理部２１０は、コンテンツプロバイダ管理サーバ４００の要求に応じでコンテンツＩＤ３１１及び特典取得コード３３０の組合せとコピー許諾条件とを対応付けて特典取得コード管理ＤＢ２２０に登録する。コピー許諾条件は、例えば、コピー回数、コンテンツデータのファイル形式、バインド方式、及びデジタル小売業者等のコピー先のうちの少なくとも１つを含む。複製処理管理部２１０は、特典取得コード管理ＤＢ２２０を管理する。
【００９７】
コピー不可機器管理ＤＢ２３０は、コピーが許可されていない不適切な機器の機器ＩＤを格納する。
【００９８】
複製処理管理部２１０は、情報記録再生装置１００からの要求（コンテンツＩＤ３１１、機器ＩＤ１１２及び特典取得コード３３０）に応じ、不適切な機器の機器ＩＤが格納されているコピー不可機器管理ＤＢ２３０に、受信された機器ＩＤ１１２が登録されていないことを確認する。これにより、不適切な機器が、コンテンツデータをコピーすることを防ぐことができる。
【００９９】
複製処理管理部２１０は、受信されたコンテンツＩＤ３１１及び特典取得コード３３０の組合せが、特典取得コード管理ＤＢ２２０に格納されていることを確認し、受信されたコンテンツＩＤに対応付けられているコピー許諾条件を取り出し、取り出したコピー許諾条件を情報記録再生装置１００に返信する。
【０１００】
なお、複製処理管理部２１０は、コンテンツＩＤと組合せて管理される許諾要求コードを生成してもよい。複製処理管理部２１０は、生成した許諾要求コードを特典取得コード管理ＤＢ２２０に登録してもよい。複製処理管理部２１０は、許諾要求コード及びコンテンツＩＤを、光ディスク（可搬型記録媒体）を製造するコンテンツプロバイダが運営するサーバに提供（送信）してもよい。
【０１０１】
コンテンツプロバイダ管理サーバ４００は、特典取得コード登録部４１０及び特典取得コード管理ＤＢ４２０を備える。
【０１０２】
コンテンツプロバイダ管理サーバ４００は、コピー管理サーバ２００内のコンテンツＩＤ及び特典取得コードの組合せ又はコンテンツＩＤ及びユーザＩＤの組合せと、コンテンツＩＤに対するコピー許諾条件とを管理することにより多様な課金処理又は販売条件でのコンテンツデータのコピー機能の販売が可能になる。
【０１０３】
また、特典取得コード管理ＤＢ２２０で管理するコピーの履歴がコンテンツプロバイダ管理サーバ４００に提供されることによって、コンテンツプロバイダは、どのようなコンテンツが、どのようなユーザに、どのようにコピーされているかを知ることができる。特に、本実施の形態では複数のコンテンツプロバイダが共通のコピー管理サーバ２００を利用することとなるため、複数のコンテンツプロバイダに跨っての情報共有が可能である。ただし、一般的にはコンテンツプロバイダ同士はライバル関係にあるため、ある特定のコンテンツプロバイダが所有するコンテンツのコピーに関する情報は、当該コンテンツプロバイダのみに提供することが好ましい。ただし、他のコンテンツプロバイダが所有するコンテンツに関する情報であっても統計処理を行うことによって、提供することが可能となることもある。例えば、あるユーザがコピーを行ったコンテンツそのものに関する情報を提供することはできないが、当該ユーザが好んで視聴するコンテンツのジャンル（例えば、アニメーション又はコメディなど）に関する情報を提供することで、特定のコンテンツをコピーするユーザの嗜好を把握することが可能となる。
【０１０４】
特典取得コード管理ＤＢ４２０は、コンテンツＩＤと特典取得コードとの組合せを記憶する。
【０１０５】
特典取得コード登録部４１０は、コンテンツＩＤと特典取得コードとの組合せを特典取得コード管理ＤＢ４２０に登録する。なお、特典取得コード登録部４１０は、コンテンツＩＤ及び特典取得コードを生成し、生成したコンテンツＩＤと特典取得コードとの組合せを特典取得コード管理ＤＢ４２０に登録してもよい。また、特典取得コード登録部４１０は、コンテンツＩＤ及び特典取得コードの入力を受け付け、受け付けたコンテンツＩＤと特典取得コードとの組合せを特典取得コード管理ＤＢ４２０に登録してもよい。さらに、特典取得コード登録部４１０は、コピー管理サーバ２００によって送信されたコンテンツＩＤ及び特典取得コードを受信し、受信したコンテンツＩＤと特典取得コードとの組合せを特典取得コード管理ＤＢ４２０に登録してもよい。
【０１０６】
図２は、実施の形態１のコピー制御システムにおけるコンテンツ複製処理の動作の概要の一例を示す図である。
【０１０７】
Ｂｌｕ−ｒａｙディスクのコピー機能としては、Ｂｌｕ−ｒａｙディスクのコンテンツデータは、データフォーマットをそのまま変更することなく、ＨＤＤなどのストレージデバイス１０２０又はＳＤメモリカードのようなメモリカード１０２１に記録される。現行のＢｌｕ−ｒａｙディスク１２３０（フルＨＤ画質及びＡＶＣ圧縮）、Ｂｌｕ−ｒａｙ  ３Ｄディスク１２２０（フルＨＤ  ３Ｄ画質及びＭＶＣ圧縮）、及びＵｌｔｒａ−ＨＤ  Ｂｌｕ−ｒａｙディスク１２１０（ＵＨＤ画質及びＨＥＶＣ圧縮）の３つの規格のすべてを対象にする。また、バインド方式についても、デバイスバインド、メディアバインド及びドメインバインドの３つが選択可能である。
【０１０８】
図３は、Ｂｌｕ−ｒａｙディスク内のデータがコピーされることにより生成されるＢｌｕ−ｒａｙデータの構造を示す図である。図３に示すように、Ｂｌｕ−ｒａｙディスク１２３０の全機能が、ストレージデバイス１０２０又はメモリカード１０２１にコピーされる。コピーされたデータは、Ｂｌｕ−ｒａｙディスクと同じ画質及び同じ操作性で利用することができる。
【０１０９】
図４は、本実施の形態１における情報記録再生装置及びコピー管理サーバの動作の一例を示すフローチャートである。
【０１１０】
まず、ステップＳ１において、情報記録再生装置１００の入力処理部１１６は、特典取得コード３３０を取得する。なお、入力処理部１１６は、ユーザによる特典取得コード３３０の入力を受け付け、ユーザによって入力された特典取得コード３３０を取得する。特典取得コード３３０は、光ディスク３１０を包装する光ディスクパッケージ３５０に添付されている。
【０１１１】
次に、ステップＳ２において、再生制御部１１８は、光ディスク３１０よりコンテンツＩＤ３１１を読み出す。コンテンツＩＤ３１１は、光ディスク３１０内の所定の領域に記録されている。
【０１１２】
次に、ステップＳ３において、システム制御部１１０は、機器ＩＤ記憶部１１２から機器ＩＤ２１１を読み出す。
【０１１３】
次に、ステップＳ４において、通信制御部１１４は、特典取得コード、コンテンツＩＤ及び機器ＩＤを含むコピー要求情報をコピー管理サーバ２００に送信する。
【０１１４】
次に、ステップＳ５において、コピー管理サーバ２００の複製処理管理部２１０は、情報記録再生装置１００によって送信されたコピー要求情報を受信する。
【０１１５】
次に、ステップＳ６において、複製処理管理部２１０は、コピー不可機器管理ＤＢ２３０に、受信したコピー要求情報に含まれる機器ＩＤが登録されているか否かを判断する。ここで、コピー不可機器管理ＤＢ２３０に機器ＩＤが登録されていると判断された場合（ステップＳ６でＹＥＳ）、不正な機器からのリクエストであるので、複製処理管理部２１０は処理を終了させる。このとき、複製処理管理部２１０は、コピーが許可されていない不適切な機器である旨を示すコピー不可情報を情報記録再生装置１００へ送信してもよい。情報記録再生装置１００は、コピー不可情報を受信すると、コピーできない旨を示す表示画面を表示してもよい。
【０１１６】
一方、コピー不可機器管理ＤＢ２３０に機器ＩＤが登録されていないと判断された場合（ステップＳ６でＮＯ）、ステップＳ７において、複製処理管理部２１０は、受信したコピー要求情報に含まれるコンテンツＩＤと特典取得コードとの組合せが、特典取得コード管理ＤＢ２２０にあるか否かを判断する。ここで、コンテンツＩＤと特典取得コードとの組合せが特典取得コード管理ＤＢ２２０にないと判断された場合（ステップＳ７でＮＯ）、複製処理管理部２１０は処理を終了させる。このとき、複製処理管理部２１０は、特典取得コードが登録されていない旨を示す未登録情報を情報記録再生装置１００へ送信してもよい。情報記録再生装置１００は、未登録情報を受信すると、特典取得コードが登録されていないため、コピーできない旨を示す表示画面を表示してもよい。
【０１１７】
一方、コンテンツＩＤと特典取得コードとの組合せが特典取得コード管理ＤＢ２２０にあると判断された場合（ステップＳ７でＹＥＳ）、ステップＳ８において、複製処理管理部２１０は、コンテンツＩＤに対応するコピー許諾条件を特典取得コード管理ＤＢ２２０から読み出す。コピー許諾条件は、予め指定されるコピー可能な機器、メディア又はネットワーク上のドメインの３つのバインド方式のうちのいずれかを選択することである。
【０１１８】
次に、ステップＳ９において、複製処理管理部２１０は、読み出したコピー許諾条件を含むコピー応答情報を情報記録再生装置１００に送信する。
【０１１９】
次に、ステップＳ１０において、情報記録再生装置１００の通信制御部１１４は、コピー管理サーバ２００によって送信されたコピー応答情報を受信する。
【０１２０】
次に、ステップＳ１１において、システム制御部１１０は、バインド方式を選択するためのバインド方式選択画面をテレビ５００に表示する。
【０１２１】
次に、ステップＳ１２において、入力処理部１１６は、ユーザによるバインド方式の選択を受け付ける。ユーザは、バインド方式選択画面に表示されるコピー先を選択する。
【０１２２】
バインド方式が選択されると、ステップＳ１３において、録画制御部１２０は、光ディスク３１０からコンテンツデータを読み出し、読み出したコンテンツデータを、ユーザにより選択されたコピー先にコピーする。選択の結果、コンテンツデータは、機器、メディア及びネットワーク上のドメインのうちのいずれかに記録される。
【０１２３】
次に、ステップＳ１４において、通信制御部１１４は、コピー結果をコピー管理サーバ２００へ送信する。このとき、コピー結果は、バインド方式及びコピー先を示す情報を含む。
【０１２４】
次に、ステップＳ１５において、コピー管理サーバ２００の複製処理管理部２１０は、情報記録再生装置１００によって送信されたコピー結果を受信する。
【０１２５】
次に、ステップＳ１６において、複製処理管理部２１０は、コピー結果を特典取得コード管理ＤＢ２２０に記憶する。
【０１２６】
正常にコピー結果が記憶されると、ステップＳ１７において、複製処理管理部２１０は、応答信号を情報記録再生装置１００へ送信する。
【０１２７】
次に、ステップＳ１８において、情報記録再生装置１００の通信制御部１１４は、コピー管理サーバ２００によって送信された応答信号を受信し、処理を終了する。
【０１２８】
図５は、ユーザに提示されるバインド方式選択画面の一例を示す図である。ここで、図４のステップＳ７においてコンテンツＩＤと特典取得コードとの組合せが存在すると判断され、コピー許可を示すコピー応答情報が情報記録再生装置１００に通知された場合、コピーは可能であり、ユーザは、実際にコピーするコピー先を指定する。バインド方式としては、大別するとデバイスバインド方式と、メディアバインド方式と、ドメインバインド方式とが存在する。
【０１２９】
デバイスバインド方式では、コピーされたデータは、ある特定の機器（一般的にはコピーを行った機器）にバインドされ、この特定の機器以外の機器では再生することができない。図５では、この選択肢は「内蔵ドライブ」として表示されている。ユーザが内蔵ドライブを選択した場合には、光ディスク３１０のコンテンツデータは、情報記録再生装置１００が内蔵するハードディスク（機器バインド型録画機器１３４）にコピーされる。情報記録再生装置１００自身では、コピーされたコンテンツデータを再生することが可能であるが、他の機器では、コピーされたコンテンツデータを再生することができない。
【０１３０】
次に、メディアバインド方式では、コピーされたデータは、ある特定の物理メディアにバインドされる。図５では、この選択肢は「記録メディア」として表示されている。物理メディアとしては、ＳＤカードに代表されるフラッシュメモリ、ＵＳＢ接続されたＨＤＤ、及び記録型の光ディスク（図５ではＢＤ−Ｒとして記載）などがある。ユーザが記録メディアを選択した場合には、光ディスク３１０のコンテンツデータは、指定された物理メディアにコピーされる。物理メディアに対応する機器であれば、どの機器でもコピーされたコンテンツデータを再生することが可能である。
【０１３１】
最後に、ドメインバインド方式では、コピーされたデータは、サービスの特定アカウントに対してバインドされる。図５の例では、外部サービスとして「Ｍｏｖｉｅ  Ｃｌｏｕｄ」、「Ｃｉｎｅｍａ  Ｃｈａｎｎｅｌ」及び「ＩｎｆｒａＲｅｄ」という名称のサービスが表示されている。ユーザは各サービスでアカウントを持っていれば、コンテンツデータは、ユーザのアカウントに紐付けられてコピーされる。一般的には、外部サービスの多くは、ＶＯＤ（Ｖｉｄｅｏ  Ｏｎ  Ｄｅｍａｎｄ）型のサービスである。この場合、ユーザによってサービスにログインした機器又は予めサービスに登録している機器は、当該サービスからコンテンツデータをストリーミングして再生することが可能である。なお、一部のサービスでは、コンテンツデータを機器内に一定期間キャッシュすることが認められている場合もある。この場合には、機器が必ずしもネットワークに接続されていなくとも、コンテンツデータを再生することが可能である。
【０１３２】
さて、図５では一部の選択肢（本例では記録メディアにおける「ＢＤ−Ｒ」及び外部サービスにおける「Ｍｏｖｉｅ  Ｃｌｏｕｄ」サービス）がグレイアウトで表示されている。これは、コンテンツプロバイダ又はコンテンツの種類によっては、特定の記録メディア又は外部サービスに対してコピーを認めないケースがあるためである。一般的には、特定の端末だけでしか再生できないデバイスバインド方式と比較して、複数の機器で再生される可能性があるメディアバインド方式又はドメインバインド方式は、コンテンツプロバイダにとってはコンテンツが不正に漏洩する可能性が高いと言われている。また、メディアバインド方式であっても、メディアの種類毎に著作権保護方式は異なっており、どこまでコピーを認めるかについてはコンテンツプロバイダによって異なる。同様に、ドメインバインド方式でも、外部サービス事業者毎にセキュリティに対する考え方又は採用している著作権保護方式は異なるため、コンテンツプロバイダによっては一部のサービス事業者に対してコピーさせたくないというケースも考えられる。
【０１３３】
こうしたコピー先に関する限定は、図４のステップＳ８において読み出すコピー許諾条件に含まれる。このコピー許諾条件に応じて、図５で示したバインド方式選択画面は、表示態様を変える。すなわち、コンテンツ毎に異なるコピー先を指定することができる。
【０１３４】
なお、選択されたバインド方式、コピー先の機器、コピー先の記録メディア又はコピー先の外部サービスは、図４のステップＳ１４においてコピー結果として通知される。図４では、登録処理（ステップＳ１６）後に、正常終了の通知又は応答信号の通知が行われるが、コピー結果として許可されていないバインド方式又はコピー先が通知された場合には、コピー管理サーバ２００は、情報記録再生装置１００に対して異常通知を行ってもよい。
【０１３５】
また、バインド方式又はコピー先に関する情報は、図１で説明した、コピー管理サーバ２００からコンテンツプロバイダ管理サーバ４００へ提供される情報に含めてもよい。どのようなジャンルのコンテンツデータが、どのようなコピー先にコピーされているのかを知ることにより、コンテンツプロバイダは様々なマーケティング活動が可能となる。
【０１３６】
図６は、本実施の形態１におけるコピー管理サーバ及びコンテンツプロバイダ管理サーバの動作の一例を示すフローチャートである。
【０１３７】
まず、ステップＳ２１において、コンテンツプロバイダ管理サーバ４００の特典取得コード登録部４１０は、特定のコンテンツＩＤに対応する特典取得コードを生成する。このとき、特典取得コード登録部４１０は、特定のコンテンツデータを記録する光ディスクの製造数に応じた数の特典取得コードを生成することが好ましい。
【０１３８】
次に、ステップＳ２２において、特典取得コード登録部４１０は、生成した特典取得コードを特典取得コード管理ＤＢ４２０に登録する。なお、生成された特典取得コードは、例えば紙媒体に印刷され、光ディスクに同梱されて出荷される。また、特典取得コードが同梱される光ディスクパッケージの値段は、特典取得コードが同梱されない光ディスクパッケージの値段よりも高くすることが好ましい。これにより、特典取得コードを用いたコピー機能に対する対価を、光ディスクパッケージの値段に含めることができる。
【０１３９】
次に、ステップＳ２３において、特典取得コード登録部４１０は、コンテンツＩＤ及び特典取得コードをコピー管理サーバ２００に送信する。
【０１４０】
次に、ステップＳ２４において、コピー管理サーバ２００の複製処理管理部２１０は、コンテンツプロバイダ管理サーバ４００によって送信されたコンテンツＩＤ及び特典取得コードを受信する。
【０１４１】
次に、ステップＳ２５において、複製処理管理部２１０は、受信したコンテンツＩＤ及び特典取得コードを特典取得コード管理ＤＢ２２０に登録する。これにより、情報記録再生装置１００における特典取得コードを使用したコピー処理が実現可能になる。
【０１４２】
コンテンツＩＤ及び特典取得コードの登録が完了すると、ステップＳ２６において、複製処理管理部２１０は、応答信号をコンテンツプロバイダ管理サーバ４００へ送信する。
【０１４３】
次に、ステップＳ２７において、コンテンツプロバイダ管理サーバ４００の特典取得コード登録部４１０は、コピー管理サーバ２００によって送信された応答信号を受信し、処理を終了する。
【０１４４】
なお、図６では示していないが、特典取得コード登録部４１０は、バインド方式又はコピー先をコピー許諾条件としてコピー管理サーバ２００に通知してもよい。これにより、図５に示すバインド方式又はコピー先に関する選択が可能となる。
【０１４５】
また、図６に示す処理では、複製権の価値が明確になるため、著作権者の権利が確保されやすい。サーバによる課金処理がないため、コンテンツのプロモーション及び価格改定などを容易に実施することができる。また、コンテンツプロバイダは、特典取得コードを管理する必要があるが、ディスク製造業者が、コンテンツプロバイダに代わって特典取得コードを管理してもよい。さらに、ユーザは、購入決済処理を行う必要がない。民生機器には、特典取得コードを入力するための機能のみを実装すればよい。コピー管理サーバは、課金処理及び特典取得コードの発行が不要であるため、処理が単純化され、容易に運用することができる。
【０１４６】
図７は、本実施の形態１の変形例におけるコピー管理サーバ及びコンテンツプロバイダ管理サーバの動作の一例を示すフローチャートである。本変形例では、図６とは異なり、コンテンツプロバイダ管理サーバが独自の特典取得コードを生成するのではなく、コピー管理サーバが共通特典取得コードを生成する。
【０１４７】
まず、ステップＳ３１において、コンテンツプロバイダ管理サーバ４００の特典取得コード登録部４１０は、コンテンツＩＤ及び特典取得コードの数をコピー管理サーバ２００へ送信する。なお、製造する光ディスクの数と同じ数の特典取得コードが必要になるため、コンテンツプロバイダ管理サーバ４００は、必要な特典取得コードの数をコピー管理サーバ２００に通知する。
【０１４８】
次に、ステップＳ３２において、コピー管理サーバ２００の複製処理管理部２１０は、コンテンツプロバイダ管理サーバ４００によって送信されたコンテンツＩＤ及び特典取得コードの数を受信する。
【０１４９】
次に、ステップＳ３３において、複製処理管理部２１０は、コンテンツプロバイダ管理サーバ４００からの要求に応じて、特典取得コードを生成する。
【０１５０】
次に、ステップＳ３４において、複製処理管理部２１０は、受信したコンテンツＩＤ及び生成した特典取得コードを、コピー許諾条件と共に特典取得コード管理ＤＢ２２０に登録する。
【０１５１】
次に、ステップＳ３５において、複製処理管理部２１０は、生成した特典取得コードをコンテンツプロバイダ管理サーバ４００へ送信する。
【０１５２】
次に、ステップＳ３６において、コンテンツプロバイダ管理サーバ４００の特典取得コード登録部４１０は、コピー管理サーバ２００によって送信された特典取得コードを受信する。なお、受信された特典取得コードは、例えば紙媒体に印刷され、光ディスクに同梱されて出荷される。また、特典取得コードが同梱される光ディスクパッケージの値段は、特典取得コードが同梱されない光ディスクパッケージの値段よりも高くすることが好ましい。
【０１５３】
次に、ステップＳ３７において、特典取得コード登録部４１０は、受信した特典取得コードを特典取得コード管理ＤＢ４２０に登録する。これにより、情報記録再生装置１００における特典取得コードを使用したコピー処理が実現可能になる。
【０１５４】
なお、図７に示す処理では、複製権の価値が明確になるため、著作権者の権利が確保されやすい。サーバによる課金処理がないため、コンテンツのプロモーション及び価格改定などを容易に実施することができる。また、コンテンツプロバイダは、特典取得コードを管理する必要がないので、小規模のコンテンツプロバイダも容易に利用することができる。さらに、ユーザは、購入決済処理を行う必要がない。民生機器には、特典取得コードを入力するための機能のみを実装すればよい。コピー管理サーバは、特典取得コードの発行が必要であるが、課金処理が不要であるため、処理が単純化され、容易に運用することができる。
【０１５５】
（実施の形態２）
図８は、実施の形態２のコピー制御システムにおけるコンテンツ複製処理の動作の概要の一例を示す図である。コンテンツ複製処理には、ＴＳベースのＢｌｕ−ｒａｙ  Ｄａｔａ形式でコンテンツデータをコピーする以外に、コンテンツデータをＭＰ４形式の１つであるＳＦＦ形式（Ｓｔａｎｄａｒｄ  Ｆｉｌｅ  Ｆｏｒｍａｔ）に変換してコピーする方式もある。なお、ＭＰ４形式は、動画像圧縮符号化の標準規格であるＭＰＥＧ−４で規定されるファイルフォーマットである。また、ＳＦＦ形式は、ＤＥＣＥ（Ｄｉｇｉｔａｌ  Ｅｎｔｅｒｔａｉｎｍｅｎｔ  Ｃｏｎｔｅｎｔ  Ｅｃｏｓｙｓｔｅｍ）で規格公開中のＣＦＦ（Ｃｏｍｍｏｎ  Ｆｉｌｅ  Ｆｏｒｍａｔ）と同等の技術である。ファイル形式を変換する方式では、パーソナルコンピュータ、スマートフォン及びタブレット型コンピュータ等の機器において再生するために、ＭＰ４形式に変換してから出力する。このため、Ｂｌｕ−ｒａｙ  ｄａｔａ形式では、すべてのＢｌｕ−ｒａｙディスクが対象であったが、ＭＰ４形式では、Ｂｌｕ−ｒａｙ  ３Ｄディスクは対象外となっている。
【０１５６】
図９は、ＳＦＦエクスポート処理によって生成されるＳＦＦデータの構造を示す図である。ＳＦＦ形式では、Ｂｌｕ−ｒａｙ  ３Ｄディスクに記録されたデータを変換することができないだけでなく、ＭＰ４形式に変換するために、メニュー又はＪａｖａ（登録商標）でのゲーム機能等のインタラクティブ機能、及びインターネット連携機能を司るナビゲーション情報が削除される。このため、ＳＦＦのデータ構成は、ＡＶストリームと、字幕情報と、管理情報との簡単な構成になる。なお、エクスポートに必要なデータは、Ｂｌｕ−ｒａｙディスク内から取得される又はネットワークを介して取得される。
【０１５７】
図１０は、本開示の実施の形態２に係るコピー制御システムの全体構成を示す図である。図１０に示すコピー制御システムは、図１に示すコピー制御システムの構成にＳＦＦ変換機能を付加した構成である。
【０１５８】
情報記録再生装置１００は、システム制御部１１０、機器ＩＤ記憶部１１２、通信制御部１１４、入力処理部１１６、再生制御部１１８、録画制御部１２０、暗号処理部１２２、ＳＦＦ変換部１２４、記録装置制御部１３０、光ディスクドライブ１３２、機器バインド型録画機器１３４を備える。コピー管理サーバ２００は、複製処理管理部２１０、特典取得コード管理ＤＢ２２０、コピー不可機器管理ＤＢ２３０及びＳＦＦ変換用タイトルキー（ＴＫ）管理ＤＢ２４０を備える。なお、本実施の形態２に係るコピー制御システムにおいて、図１に示すコピー制御システムと同じ構成については説明を省略する。
【０１５９】
録画制御部１２０は、ＳＦＦ変換部１２４を制御してＳＦＦファイルを生成し記録装置制御部１３０に送る。これにより、ＳＦＦ形式がサポートされる。ＳＦＦ変換部１２４は、光ディスク３１０に記録されているコンテンツデータのファイル形式を他のファイル形式に変換する。ＳＦＦ変換部１２４は、ＳＦＦ変換の際に、ＴＳ形式からＭＰ４形式に変換するために、暗号化されたＢｌｕ−ｒａｙデータを一旦復号し、Ｃｏｍｍｏｎ  Ｅｎｃｒｙｐｔｉｏｎ形式で再度暗号化する。この際、情報記録再生装置１００は、再暗号化するためのＴＫ（タイトルキー）をコピー管理サーバ２００から取得する必要がある。このため、コピー管理サーバ２００は、ＳＦＦ変換用ＴＫを格納するＳＦＦ変換用ＴＫ管理ＤＢ２４０を備える。ＳＦＦ変換用ＴＫは、コピーが許諾される際に、コピー管理サーバ２００から情報記録再生装置１００に送られる。ＳＦＦ変換部１２４及びＳＦＦ変換用ＴＫ管理ＤＢ２４０以外の処理は図１と基本的に同じである。
【０１６０】
このように、コピー許諾条件は、コピー後のコンテンツデータのファイル形式を、予め指定した複数のファイル形式の中から選択する条件を含む。複数のファイル形式のうちの１つのファイル形式が選択されることにより、コピーが許諾される。複数のファイル形式は、例えば、トランスポートストリーム形式及びＭＰ４形式を含む。録画制御部１２０は、複数のファイル形式の中から１のファイル形式のユーザによる選択を受け付け、受け付けられたファイル形式によりコンテンツデータをコピーする。
【０１６１】
図１１は、本実施の形態２における情報記録再生装置及びコピー管理サーバの動作の一例を示す第１のフローチャートであり、図１２は、本実施の形態２における情報記録再生装置及びコピー管理サーバの動作の一例を示す第２のフローチャートである。図１１及び図１２に示すフローチャートの基本的な動作は、前述の図４に示すフローチャートと同じである。図１１及び図１２に示すフローチャートでは、ＳＦＦ変換のための処理が追加されている。図１１及び図１２の例では、ＳＦＦ変換用ＴＫはコピー管理サーバ２００で管理され、コピー管理サーバ２００から情報記録再生装置１００に送られる。
【０１６２】
ステップＳ４１〜ステップＳ４７の処理は、図４に示すステップＳ１〜ステップＳ７の処理と同じであるので説明を省略する。
【０１６３】
コンテンツＩＤと特典取得コードとの組合せが特典取得コード管理ＤＢ２２０にあると判断された場合（ステップＳ４７でＹＥＳ）、ステップＳ４８において、複製処理管理部２１０は、コンテンツＩＤに対応するコピー許諾条件を特典取得コード管理ＤＢ２２０から読み出す。ここで、コピー許諾条件は、予め指定されるコピー可能な機器、メディア又はネットワーク上のドメインの３つのバインド方式のうちのいずれかを選択すること、及びコピー後のコンテンツデータのファイルフォーマットを選択することである。
【０１６４】
ステップＳ４９及びステップＳ５０の処理は、図４に示すステップＳ９及びステップＳ１０の処理と同じであるので説明を省略する。
【０１６５】
次に、ステップＳ５１において、システム制御部１１０は、ファイルフォーマット及びバインド方式を選択するためのフォーマット／バインド方式選択画面をテレビ５００に表示する。
【０１６６】
次に、ステップＳ５２において、入力処理部１１６は、ユーザによるファイルフォーマットの選択を受け付ける。ユーザは、フォーマット／バインド方式選択画面に表示されるファイルフォーマットを選択する。
【０１６７】
次に、ステップＳ５３において、録画制御部１２０は、ＳＦＦ変換が選択されたか否かを判断する。ここで、ＳＦＦ変換が選択されていないと判断された場合（ステップＳ５３でＮＯ）、ステップＳ６０の処理に移行する。
【０１６８】
一方、ＳＦＦ変換が選択されたと判断された場合（ステップＳ５３でＹＥＳ）、ステップＳ５４において、通信制御部１１４は、ＳＳＦ変換用ＴＫを要求するためのデータ要求をコピー管理サーバ２００へ送信する。
【０１６９】
次に、ステップＳ５５において、コピー管理サーバ２００の複製処理管理部２１０は、情報記録再生装置１００によって送信されたデータ要求を受信する。
【０１７０】
次に、ステップＳ５６において、複製処理管理部２１０は、ＳＳＦ変換用ＴＫをＳＦＦ変換用ＴＫ管理ＤＢ２４０から読み出す。
【０１７１】
次に、ステップＳ５７において、複製処理管理部２１０は、読み出したＳＳＦ変換用ＴＫを情報記録再生装置１００へ送信する。
【０１７２】
次に、ステップＳ５８において、情報記録再生装置１００の通信制御部１１４は、コピー管理サーバ２００によって送信されたＳＳＦ変換用ＴＫを受信する。
【０１７３】
次に、ステップＳ５９において、ＳＦＦ変換部１２４は、光ディスク３１０から読み出したコンテンツデータを復号し、ＳＳＦ変換用ＴＫを用いて、復号したコンテンツデータを再度暗号化し、暗号化したコンテンツデータのファイル形式をＳＦＦフォーマットに変換する。
【０１７４】
次に、ステップＳ６０において、入力処理部１１６は、ユーザによるバインド方式の選択を受け付ける。ユーザは、フォーマット／バインド方式選択画面に表示されるコピー先を選択する。
【０１７５】
バインド方式が選択されると、ステップＳ６１において、録画制御部１２０は、ＳＦＦフォーマットに変換されたコンテンツデータを、ユーザにより選択されたコピー先にコピーする。選択の結果、コンテンツデータは、機器、メディア及びネットワーク上のドメインのうちのいずれかに記録される。
【０１７６】
ステップＳ６２〜ステップＳ６６の処理は、図４に示すステップＳ１４〜ステップＳ１８の処理と同じであるので説明を省略する。
【０１７７】
続いて、本実施の形態２の変形例における情報記録再生装置及びコピー管理サーバの動作について説明する。
【０１７８】
図１３は、本実施の形態２の変形例における情報記録再生装置及びコピー管理サーバの動作の一例を示すフローチャートである。図１３に示すフローチャートと図１１及び図１２に示すフローチャートとの差は、ＳＦＦ変換用ＴＫの生成方法である。図１３に示す例では、ＳＦＦ変換用ＴＫは、情報記録再生装置１００において自動生成される。そして、コピー管理サーバ２００で管理するために、ＳＦＦ変換用ＴＫは、情報記録再生装置１００からコピー管理サーバ２００に送信され、ＳＦＦ用ＴＫ管理ＤＢ２４０に登録される。
【０１７９】
まず、図１１に示すステップＳ４１〜ステップＳ５２の処理が行われる。
【０１８０】
次に、ステップＳ７１において、録画制御部１２０は、ＳＦＦ変換が選択されたか否かを判断する。ここで、ＳＦＦ変換が選択されていないと判断された場合（ステップＳ７１でＮＯ）、ステップＳ７８の処理に移行する。
【０１８１】
一方、ＳＦＦ変換が選択されたと判断された場合（ステップＳ７１でＹＥＳ）、ステップＳ７２において、ＳＦＦ変換部１２４は、ＳＳＦ変換用ＴＫを生成し、光ディスク３１０から読み出したコンテンツデータを復号し、生成したＳＳＦ変換用ＴＫを用いて、復号したコンテンツデータを再度暗号化し、暗号化したコンテンツデータのファイル形式をＳＦＦフォーマットに変換する。
【０１８２】
次に、ステップＳ７３において、通信制御部１１４は、ＳＦＦ変換部１２４によって生成されたＳＳＦ変換用ＴＫをコピー管理サーバ２００へ送信する。
【０１８３】
次に、ステップＳ７４において、コピー管理サーバ２００の複製処理管理部２１０は、情報記録再生装置１００によって送信されたＳＳＦ変換用ＴＫを受信する。
【０１８４】
次に、ステップＳ７５において、複製処理管理部２１０は、受信したＳＳＦ変換用ＴＫをＳＦＦ変換用ＴＫ管理ＤＢ２４０に登録する。このとき、複製処理管理部２１０は、コンテンツＩＤ及び特典取得コードの組合せに対応付けて、ＳＦＦ変換用ＴＫをＳＦＦ変換用ＴＫ管理ＤＢ２４０に記憶する。
【０１８５】
正常にＳＦＦ変換用ＴＫが登録されると、ステップＳ７６において、複製処理管理部２１０は、応答信号を情報記録再生装置１００へ送信する。
【０１８６】
次に、ステップＳ７７において、情報記録再生装置１００の通信制御部１１４は、コピー管理サーバ２００によって送信された応答信号を受信する。
【０１８７】
ステップＳ７８〜ステップＳ８４の処理は、図１２に示すステップＳ６０〜ステップＳ６６の処理と同じであるので説明を省略する。
【０１８８】
（実施の形態３）
図１４は、本実施の形態３におけるＳＦＦエクスポート機能とエクスポートデータとの関係を説明するための図である。ＳＦＦ変換には、複雑な処理が要求されるため、変換を効率的に行うためのデータとして、エクスポートデータ（Ｄａｔａ  ｆｏｒ  Ｅｘｐｏｒｔ）が定義される。エクスポートデータが無い場合は、Ｂｌｕ−ｒａｙデータのコピーはできるが、ＳＦＦフォーマットへの変換は禁止される。エクスポートデータは、予め光ディスクに格納されるが、発売済のエクスポートデータを格納していない光ディスクに関しては、エクスポート管理サーバに格納される。
【０１８９】
すなわち、図１４に示すように、情報記録再生装置１００は、Ｂｌｕ−ｒａｙディスク内にエクスポートデータが格納されていない場合、エクスポート管理サーバ５０１からエクスポートデータを取得する。
【０１９０】
図１５は、ＳＦＦエクスポート処理を行うＳＦＦ変換部の構成を示す図である。図１５に示すように、Ｃｌｉｐデータ２０２０は、復号された後、ＳｕｂＴｉｔｌｅ２２１０、ＥＳ−Ｖｉｄｅｏ２２２０及びＥＳ−Ａｕｄｉｏ２２３０に分割され、ＳＦＦ変換される。エクスポートデータ（Ｄａｔａ  ｆｏｒ  Ｅｘｐｏｒｔ）２０３０は、マニフェスト２０３２、ＡＡＣ  Ａｕｄｉｏ２０３４及びＳＭＰＴＥ  Ｔｅｘｔ  Ｓｕｂｔｉｔｌｅ２０３６で構成される。マニフェスト２０３２は、ＳＦＦ変換に使用される。ＳＦＦ変換されたＳｕｂＴｉｔｌｅ２５００、ＥＳ−Ｖｉｄｅｏ２５１０及びＡｕｄｉｏ２５２０のうちのＥＳ−Ｖｉｄｅｏ２５１０は、エクスポートデータ２０３０に含まれるＡＡＣ  Ａｕｄｉｏ２５３０及びＳＭＰＴＥ  ＴＴ（Ｔｉｍｅｄ  Ｔｅｘｔ）２５４０とともに多重化され、ＳＦＦデータ１１００として出力される。このように、オーディオデータ及び字幕データは、エクスポートデータ２０３０内のＡＡＣ  Ａｕｄｉｏ２５３０及びＳＭＰＴＥ  ＴＴ２５４０に付け替えられる。
【０１９１】
図１６は、本開示の実施の形態３に係るコピー制御システムの全体構成を示す図である。図１０と異なる点は、コピー管理サーバ２００が、エクスポートデータを格納及び管理するエクスポートデータ管理ＤＢ２５０を備える点のみである。
【０１９２】
コピー管理サーバ２００は、複製処理管理部２１０、特典取得コード管理ＤＢ２２０、コピー不可機器管理ＤＢ２３０、ＳＦＦ変換用ＴＫ管理ＤＢ２４０及びエクスポートデータ管理ＤＢ２５０を備える。なお、本実施の形態３に係るコピー制御システムにおいて、図１０に示すコピー制御システムと同じ構成については説明を省略する。
【０１９３】
図１７は、本実施の形態３における情報記録再生装置及びコピー管理サーバの動作の一例を示すフローチャートである。図１７に示すフローチャートは、図１１及び図１２に示す処理に、エクスポートデータ関連の処理のみを追加している。図１７に示す処理は、光ディスク３１０内にエクスポートデータが格納されている場合の例である。
【０１９４】
まず、図１１に示すステップＳ４１〜ステップＳ５２の処理が行われる。ステップＳ９１〜ステップＳ９６の処理は、図１２に示すステップＳ５３〜ステップＳ５８の処理と同じであるので説明を省略する。
【０１９５】
次に、ステップＳ９７において、ＳＦＦ変換部１２４は、光ディスク３１０に記録されているエクスポートデータを読み出す。
【０１９６】
次に、ステップＳ９８において、ＳＦＦ変換部１２４は、光ディスク３１０から読み出したコンテンツデータを復号し、受信したＳＳＦ変換用ＴＫを用いて、復号したコンテンツデータを再度暗号化し、読み出したエクスポートデータを用いて、暗号化したコンテンツデータのファイル形式をＳＦＦフォーマットに変換する。
【０１９７】
ステップＳ９９〜ステップＳ１０５の処理は、図１２に示すステップＳ６０〜ステップＳ６６の処理と同じであるので説明を省略する。
【０１９８】
図１８は、本実施の形態３の変形例における情報記録再生装置及びコピー管理サーバの動作の一例を示す第１のフローチャートであり、図１９は、本実施の形態３の変形例における情報記録再生装置及びコピー管理サーバの動作の一例を示す第２のフローチャートである。図１８及び図１９に示す処理は、光ディスク３１０内にエクスポートデータが格納されておらず、コピー管理サーバ２００からエクスポートデータを取得する場合の例である。
【０１９９】
ステップＳ１１１〜ステップＳ１１７の処理は、図４に示すステップＳ１〜ステップＳ７の処理と同じであるので説明を省略する。
【０２００】
コンテンツＩＤと特典取得コードとの組合せが特典取得コード管理ＤＢ２２０にあると判断された場合（ステップＳ１１７でＹＥＳ）、ステップＳ１１８において、複製処理管理部２１０は、受信したコンテンツＩＤに対応するエクスポートデータがエクスポートデータ管理ＤＢ２５０内にあるか否かを判断する。
【０２０１】
ここで、コンテンツＩＤに対応するエクスポートデータがないと判断された場合（ステップＳ１１８でＮＯ）、ステップＳ１１９において、複製処理管理部２１０は、コンテンツＩＤに対応するコピー許諾条件を特典取得コード管理ＤＢ２２０から読み出す。ここで、コピー許諾条件は、予め指定されるコピー可能な機器、メディア又はネットワーク上のドメインの３つのバインド方式のうちのいずれかを選択することである。コピー許諾条件は、コピー後のコンテンツデータのファイルフォーマットを選択することを含まない。すなわち、エクスポートデータがなく、ＳＦＦ変換できないため、ファイルフォーマットを選択するという条件は提示されない。
【０２０２】
次に、ステップＳ１２０において、複製処理管理部２１０は、読み出したコピー許諾条件を含むコピー応答情報を情報記録再生装置１００に送信する。
【０２０３】
ステップＳ１２０の処理の後、図４のステップＳ１０の処理へ移行し、図４のステップＳ１０〜ステップＳ１８の処理が行われる。
【０２０４】
一方、コンテンツＩＤに対応するエクスポートデータがあると判断された場合（ステップＳ１１８でＹＥＳ）、ステップＳ１２１において、複製処理管理部２１０は、コンテンツＩＤに対応するコピー許諾条件を特典取得コード管理ＤＢ２２０から読み出す。ここで、コピー許諾条件は、予め指定されるコピー可能な機器、メディア又はネットワーク上のドメインの３つのバインド方式のうちのいずれかを選択すること、及びコピー後のコンテンツデータのファイルフォーマットを選択することである。この場合、エクスポートデータがあり、ＳＦＦ変換できるため、バインド方式を選択するという条件と、ファイルフォーマットを選択するという条件とが提示される。
【０２０５】
ステップＳ１２２〜ステップＳ１２６の処理は、図１１及び図１２に示すステップＳ４９〜ステップＳ５３の処理と同じであるので説明を省略する。
【０２０６】
ＳＦＦ変換が選択されたと判断された場合（ステップＳ１２６でＹＥＳ）、ステップＳ１２７において、通信制御部１１４は、ＳＳＦ変換用ＴＫ及びエクスポートデータを要求するためのデータ要求をコピー管理サーバ２００へ送信する。
【０２０７】
次に、ステップＳ１２８において、コピー管理サーバ２００の複製処理管理部２１０は、情報記録再生装置１００によって送信されたデータ要求を受信する。
【０２０８】
次に、ステップＳ１２９において、複製処理管理部２１０は、ＳＳＦ変換用ＴＫをＳＦＦ変換用ＴＫ管理ＤＢ２４０から読み出す。
【０２０９】
次に、ステップＳ１３０において、複製処理管理部２１０は、エクスポートデータをエクスポートデータ管理ＤＢ２５０から読み出す。
【０２１０】
次に、ステップＳ１３１において、複製処理管理部２１０は、読み出したＳＳＦ変換用ＴＫ及びエクスポートデータを情報記録再生装置１００へ送信する。
【０２１１】
次に、ステップＳ１３２において、情報記録再生装置１００の通信制御部１１４は、コピー管理サーバ２００によって送信されたＳＳＦ変換用ＴＫ及びエクスポートデータを受信する。
【０２１２】
次に、ステップＳ１３３において、ＳＦＦ変換部１２４は、光ディスク３１０から読み出したコンテンツデータを復号し、受信したＳＳＦ変換用ＴＫを用いて、復号したコンテンツデータを再度暗号化し、受信したエクスポートデータを用いて、暗号化したコンテンツデータのファイル形式をＳＦＦフォーマットに変換する。
【０２１３】
ステップＳ１３４〜ステップＳ１４０の処理は、図１２に示すステップＳ６０〜ステップＳ６６の処理と同じであるので説明を省略する。
【０２１４】
（実施の形態４）
図２０は、本開示の実施の形態４に係るコピー制御システムの全体構成を示す図である。実施の形態４では、コンテンツプロバイダが特典取得コードを用いて顧客情報を収集する。図２０に示すコピー制御システムと図１６に示すコピー制御システムとでは、コンテンツプロバイダ管理サーバの構成が異なるが、コピー管理サーバ２００及び情報記録再生装置１００の構成は同じである。
【０２１５】
図２０に示すコピー制御システムは、情報記録再生装置１００、コピー管理サーバ２００、コンテンツプロバイダ管理サーバ４５０、テレビ５００及びスマートフォン５１０を備える。
【０２１６】
コンテンツプロバイダ管理サーバ４５０は、コンテンツプロバイダ専用の認証コード（ＣＰ認証コード３３２）を発行する。ＣＰ認証コード３３２は、光ディスク３１０と同梱される。光ディスク３１０内のコンテンツデータを他の記録媒体にコピーする場合、まず、ユーザは、コンテンツプロバイダ管理サーバ４５０に対してユーザ登録を行い、ユーザＩＤ６００を取得する、そして、ユーザは、ユーザＩＤ６００とＣＰ認証コード３３２とをコンテンツプロバイダ管理サーバ４５０に登録することで、特典取得コード３３４を得る。特典取得コード３３４が情報記録再生装置１００に入力される以降の処理は、実施の形態３の処理と同じである。
【０２１７】
コンテンツプロバイダ管理サーバ４５０は、特典取得コード登録部４１０、特典取得コード管理ＤＢ４２２、ＣＰ認証コード管理ＤＢ４２４、入力処理部４６０、ユーザ登録部４６５、ユーザ／コンテンツ情報管理領域４７０、特典取得コード変換部４９０及び特典取得コード出力部４９５を備える。
【０２１８】
特典取得コード管理ＤＢ４２２は、コンテンツＩＤと特典取得コードとの組合せを記憶する。
【０２１９】
特典取得コード登録部４１０は、コンテンツＩＤと特典取得コードとの組合せを特典取得コード管理ＤＢ４２２に登録する。なお、特典取得コード登録部４１０は、コンテンツＩＤをコピー管理サーバ２００へ送信し、コンテンツＩＤに対応付けられた特典取得コードを受信し、受信したコンテンツＩＤと特典取得コードとの組合せを特典取得コード管理ＤＢ４２０に登録してもよい。
【０２２０】
ＣＰ認証コード管理ＤＢ４２４、コンテンツＩＤとＣＰ認証コードとを対応付けて記憶する。入力処理部４６０は、ユーザＩＤの入力を受け付けるとともに、ＣＰ認証コードの入力を受け付ける。なお、入力処理部４６０は、ネットワークを介してユーザＩＤ及びＣＰ認証コードを受信する。
【０２２１】
ユーザ登録部４６５は、入力処理部４６０によって入力されたユーザＩＤと、入力処理部４６０によって入力されたＣＰ認証コードに基づいて取得されたコンテンツＩＤとを対応付けてユーザ／コンテンツ情報管理領域４７０に登録する。ユーザ／コンテンツ情報管理領域４７０は、ユーザＩＤとコンテンツＩＤとを対応付けて記憶する。特典取得コード変換部４９０は、コンテンツＩＤに対応する特典取得コードを特典取得コード管理ＤＢ４２２から読み出す。特典取得コード出力部４９５は、特典取得コード変換部４９０によって読み出された特典取得コードを出力する。
【０２２２】
図２１は、本実施の形態４におけるコピー管理サーバ及びコンテンツプロバイダ管理サーバの動作の一例を示すフローチャートである。
【０２２３】
まず、ステップＳ１５１において、コンテンツプロバイダ管理サーバ４５０の特典取得コード登録部４１０は、特定のコンテンツＩＤに対応するＣＰ認証コードを生成する。
【０２２４】
次に、ステップＳ１５２において、特典取得コード登録部４１０は、生成したＣＰ認証コードをコンテンツＩＤに対応付けてＣＰ認証コード管理ＤＢ４２４に登録する。なお、生成されたＣＰ認証コードは、例えば紙媒体に印刷され、光ディスクに同梱されて出荷される。
【０２２５】
次に、ステップＳ１５３において、特典取得コード登録部４１０は、コンテンツＩＤ及び特典取得コードの数をコピー管理サーバ２００へ送信する。
【０２２６】
次に、ステップＳ１５４において、コピー管理サーバ２００の複製処理管理部２１０は、コンテンツプロバイダ管理サーバ４５０によって送信されたコンテンツＩＤ及び特典取得コードの数を受信する。
【０２２７】
次に、ステップＳ１５５において、複製処理管理部２１０は、コンテンツプロバイダ管理サーバ４５０からの要求に応じて、特典取得コードを生成する。
【０２２８】
次に、ステップＳ１５６において、複製処理管理部２１０は、受信したコンテンツＩＤ及び生成した特典取得コードを、コピー許諾条件と共に特典取得コード管理ＤＢ２２０に登録する。
【０２２９】
次に、ステップＳ１５７において、複製処理管理部２１０は、生成した特典取得コードをコンテンツプロバイダ管理サーバ４５０へ送信する。
【０２３０】
次に、ステップＳ１５８において、コンテンツプロバイダ管理サーバ４５０の特典取得コード登録部４１０は、コピー管理サーバ２００によって送信された特典取得コードを受信する。
【０２３１】
次に、ステップＳ１５９において、特典取得コード登録部４１０は、受信した特典取得コードをコンテンツＩＤに対応付けて特典取得コード管理ＤＢ４２２に登録する。
【０２３２】
以上の処理により、ＣＰ認証コードとコンテンツＩＤとが対応付けて登録されるとともに、特典取得コードとコンテンツＩＤとが対応付けて登録される。
【０２３３】
図２２は、本実施の形態４における情報記録再生装置及びコンテンツプロバイダ管理サーバの動作の一例を示すフローチャートである。
【０２３４】
まず、ステップＳ１６１において、情報記録再生装置１００の入力処理部１１６は、ユーザによるユーザＩＤの入力を受け付ける。なお、ユーザＩＤは、事前にコンテンツプロバイダ管理サーバ４５０より付与されており、コンテンツプロバイダ管理サーバ４５０には、当該ユーザＩＤが既に登録されている。
【０２３５】
次に、ステップＳ１６２において、入力処理部１１６は、ユーザによるＣＰ認証コードの入力を受け付ける。ＣＰ認証コードは、コピーを希望する光ディスク３１０のパッケージに同梱されている。
【０２３６】
次に、ステップＳ１６３において、通信制御部１１４は、入力処理部１１６によって入力されたユーザＩＤ及びＣＰ認証コードをコンテンツプロバイダ管理サーバ４５０へ送信する。
【０２３７】
次に、ステップＳ１６４において、コンテンツプロバイダ管理サーバ４５０の入力処理部４６０は、情報記録再生装置１００によって送信されたユーザＩＤ及びＣＰ認証コードを受信する。
【０２３８】
次に、ステップＳ１６５において、ユーザ登録部４６５は、受信したＣＰ認証コードに対応するコンテンツＩＤをＣＰ認証コード管理ＤＢ４２４から読み出す。
【０２３９】
次に、ステップＳ１６６において、ユーザ登録部４６５は、受信したユーザＩＤと、ＣＰ認証コード管理ＤＢ４２４から読み出したコンテンツＩＤとを対応付けてユーザ／コンテンツ情報管理領域４７０に登録する。
【０２４０】
次に、ステップＳ１６７において、特典取得コード変換部４９０は、読み出されたコンテンツＩＤに対応する特典取得コードを特典取得コード管理ＤＢ４２２から読み出す。
【０２４１】
次に、ステップＳ１６８において、特典取得コード出力部４９５は、特典取得コード変換部４９０によって読み出された特典取得コードを情報記録再生装置１００へ送信する。
【０２４２】
次に、ステップＳ１６９において、情報記録再生装置１００の通信制御部１１４は、コンテンツプロバイダ管理サーバ４５０によって送信された特典取得コードを受信する。
【０２４３】
次に、ステップＳ１７０において、システム制御部１１０は、通信制御部１１４によって受信された特典取得コードをテレビ５００に表示する。
【０２４４】
以上の処理により、ユーザは、特典取得コードを取得することができ、取得した特典取得コードを用いて光ディスク内のコンテンツデータを他の記録媒体にコピーすることが可能となる。
【０２４５】
なお、本実施の形態４では、情報記録再生装置１００からユーザＩＤ及びＣＰ認証コードが入力され、情報記録再生装置１００に特典取得コードが提示されるが、本開示は特にこれに限定されない。例えば、モバイル機器又はパーソナルコンピュータからユーザＩＤ及びＣＰ認証コードが入力され、モバイル機器又はパーソナルコンピュータに特典取得コードが提示されてもよい。
【０２４６】
（実施の形態５）
図２３は、本開示の実施の形態５に係るコピー制御システムの全体構成を示す図である。本実施の形態５では、特典取得コードは、光ディスクのパッケージに同梱されておらず、コンテンツプロバイダ、デジタル小売業者又はレンタル業者等が運営するデジタル販売サイトでコピー権が販売され、コピー権を購入したユーザに対して特典取得コードが提示される例である。図２０と同様に、特典取得コード３３４が情報記録再生装置１００に入力される以降の処理は、実施の形態３の処理と同じである。
【０２４７】
従って、デジタル小売業者は、コンテンツプロバイダからコンテンツデータのコピー権の販売許諾を得れば、通常のデジタルコンテンツと同様にコピー権を販売することができる。
【０２４８】
図２３に示すコピー制御システムは、情報記録再生装置１００、コピー管理サーバ２００、コンテンツプロバイダ管理サーバ４５２、テレビ５００及びスマートフォン５１０を備える。
【０２４９】
図２３に示すコピー制御システムと図２０に示すコピー制御システムとでは、コンテンツプロバイダ管理サーバの構成が異なるが、コピー管理サーバ２００及び情報記録再生装置１００の構成は同じである。
【０２５０】
コンテンツプロバイダ管理サーバ４５２は、特典取得コード登録部４１０、特典取得コード管理ＤＢ４２２、コンテンツＩＤ変換ＤＢ４２６、入力処理部４６０、ユーザ登録部４６５、ユーザ／コンテンツ情報管理領域４７０、特典取得コード検索部４９２及び特典取得コード出力部４９５を備える。
【０２５１】
コンテンツＩＤ変換ＤＢ４２６は、コンテンツ名とコンテンツＩＤとを対応付けて記憶する。
【０２５２】
入力処理部４６０は、ユーザＩＤの入力を受け付けるとともに、コンテンツ名の入力を受け付ける。なお、入力処理部４６０は、ネットワークを介してユーザＩＤ及びコンテンツ名を受信する。
【０２５３】
特典取得コード検索部４９２は、コンテンツＩＤに対応する特典取得コードを特典取得コード管理ＤＢ４２２から読み出す。特典取得コード出力部４９５は、特典取得コード検索部４９２によって読み出された特典取得コードを出力する。
【０２５４】
図２４は、本実施の形態５におけるコピー管理サーバ及びコンテンツプロバイダ管理サーバの動作の一例を示すフローチャートである。
【０２５５】
ステップＳ１８１〜ステップＳ１８６の処理は、図７に示すステップＳ３１〜ステップＳ３６の処理と同じであるので説明を省略する。
【０２５６】
次に、ステップＳ１８７において、特典取得コード登録部４１０は、コンテンツＩＤ毎にコピー許諾条件及び支払条件を設定する。
【０２５７】
次に、ステップＳ１８８において、特典取得コード登録部４１０は、受信した特典取得コードと、コンテンツＩＤと、コピー許諾条件と、支払条件とを特典取得コード管理ＤＢ４２２に登録する。
【０２５８】
次に、ステップＳ１８９において、特典取得コード登録部４１０は、登録されたコンテンツＩＤに対応する特典取得コードを販売する販売サイトのメニューを支払条件に応じて設定する。
【０２５９】
上記のように、本実施の形態のコピー制御システムでは、通常の電子商取引又はデジタルコンテンツ販売サイトと同様に、特典取得コードが販売される。そのため、特典取得コードが光ディスクに同梱されない場合、及びレンタルした光ディスクのコンテンツデータがコピーされる場合に、コンテンツデータを複製する代金を回収することができ、特典取得コードを使用したコピー処理が実現可能になる。
【０２６０】
なお、図２４に示す処理では、複製権の価値が明確になるため、著作権者の権利が確保されやすい。特典取得コードの販売は、通常のデジタルコンテンツ販売サイトで実現可能であるので、課金処理を別途設定する必要がない。また、特典取得コードの販売は、既存の電子商取引業者に委託することも可能である。特典取得コードを通常のデジタルコンテンツ販売サイトで販売することにより、コンテンツのプロモーション及び価格改定などを容易に実施することができる。また、ユーザは、特典取得コードを購入するだけであり、別の購入決済処理を行う必要がない。民生機器には、特典取得コードを入力するための機能のみを実装すればよい。コピー管理サーバは、特典取得コードの発行が必要であるが、課金処理が不要であるため、処理が単純化され、容易に運用することができる。
【０２６１】
図２５は、本実施の形態５における情報記録再生装置、コピー管理サーバ及びコンテンツプロバイダ管理サーバの動作の一例を示す第１のフローチャートであり、図２６は、本実施の形態５における情報記録再生装置、コピー管理サーバ及びコンテンツプロバイダ管理サーバの動作の一例を示す第２のフローチャートである。
【０２６２】
まず、ステップＳ１９１において、情報記録再生装置１００の入力処理部１１６は、ユーザによるユーザＩＤの入力を受け付ける。なお、ユーザＩＤは、事前にコンテンツプロバイダ管理サーバ４５２より付与されており、コンテンツプロバイダ管理サーバ４５２には、当該ユーザＩＤが既に登録されている。
【０２６３】
次に、ステップＳ１９２において、入力処理部１１６は、ユーザによるコンテンツ名の入力を受け付ける。コンテンツ名は、コピーを希望する光ディスク３１０に記録されているコンテンツの名称である。なお、コンテンツ名は、直接文字入力されてもよいし、複数の選択肢の中から選択されてもよい。
【０２６４】
次に、ステップＳ１９３において、通信制御部１１４は、入力処理部１１６によって入力されたユーザＩＤ及びコンテンツ名をコンテンツプロバイダ管理サーバ４５２へ送信する。
【０２６５】
次に、ステップＳ１９４において、コンテンツプロバイダ管理サーバ４５２の入力処理部４６０は、情報記録再生装置１００によって送信されたユーザＩＤ及びコンテンツ名を受信する。
【０２６６】
次に、ステップＳ１９５において、ユーザ登録部４６５は、受信したコンテンツ名に対応するコンテンツＩＤをコンテンツＩＤ変換ＤＢ４２６から読み出す。
【０２６７】
次に、ステップＳ１９６において、特典取得コード検索部４９２は、読み出されたコンテンツＩＤに対応するコピー許諾条件及び支払条件を特典取得コード管理ＤＢ４２２から読み出す。
【０２６８】
次に、ステップＳ１９７において、特典取得コード検索部４９２は、読み出されたコピー許諾条件及び支払条件を情報記録再生装置１００へ送信する。
【０２６９】
次に、ステップＳ１９８において、情報記録再生装置１００の通信制御部１１４は、コンテンツプロバイダ管理サーバ４５２によって送信されたコピー許諾条件及び支払条件を受信する。
【０２７０】
次に、ステップＳ１９９において、システム制御部１１０は、通信制御部１１４によって受信されたコピー許諾条件及び支払条件をテレビ５００に表示する。
【０２７１】
次に、ステップＳ２００において、システム制御部１１０は、表示されたコピー許諾条件及び支払条件の選択を受け付ける。ユーザは、表示されるコピー許諾条件（バインド方式など）を選択するとともに、表示される支払条件（クレジットカードなど）を選択する。
【０２７２】
次に、ステップＳ２０１において、通信制御部１１４は、選択されたコピー許諾条件及び支払条件をコンテンツプロバイダ管理サーバ４５２へ送信する。
【０２７３】
次に、ステップＳ２０２において、コンテンツプロバイダ管理サーバ４５２の入力処理部４６０は、情報記録再生装置１００によって送信されたコピー許諾条件及び支払条件を受信する。
【０２７４】
次に、ステップＳ２０３において、ユーザ登録部４６５は、受信したコピー許諾条件及び支払条件に応じた課金処理を行う。すなわち、ユーザ登録部４６５は、ユーザにより選択されたクレジットカードにより、特典取得コードを購入する代金の決済を行う。
【０２７５】
次に、ステップＳ２０４において、ユーザ登録部４６５は、受信したユーザＩＤと、コンテンツＩＤ変換ＤＢ４２６から読み出したコンテンツＩＤとを対応付けてユーザ／コンテンツ情報管理領域４７０に登録する。
【０２７６】
次に、ステップＳ２０５において、特典取得コード検索部４９２は、読み出されたコンテンツＩＤに対応する特典取得コードを特典取得コード管理ＤＢ４２２から読み出す。
【０２７７】
次に、ステップＳ２０６において、特典取得コード登録部４１０は、特典取得コード検索部４９２によって読み出された特典取得コードと、コンテンツＩＤと、コピー許諾条件とをコピー管理サーバ２００へ送信する。
【０２７８】
次に、ステップＳ２０７において、複製処理管理部２１０は、コンテンツプロバイダ管理サーバ４５２によって送信された特典取得コード、コンテンツＩＤ及びコピー許諾条件を受信する。
【０２７９】
次に、ステップＳ２０８において、複製処理管理部２１０は、受信した特典取得コード、コンテンツＩＤ及びコピー許諾条件を特典取得コード管理ＤＢ２２０に登録する。
【０２８０】
特典取得コード、コンテンツＩＤ及びコピー許諾条件の登録が完了すると、ステップＳ２０９において、複製処理管理部２１０は、応答信号をコンテンツプロバイダ管理サーバ４５２へ送信する。
【０２８１】
次に、ステップＳ２１０において、コンテンツプロバイダ管理サーバ４５２の特典取得コード登録部４１０は、コピー管理サーバ２００によって送信された応答信号を受信する。
【０２８２】
次に、ステップＳ２１１において、特典取得コード出力部４９５は、特典取得コード検索部４９２によって読み出された特典取得コードを情報記録再生装置１００へ送信する。
【０２８３】
次に、ステップＳ２１２において、情報記録再生装置１００の通信制御部１１４は、コンテンツプロバイダ管理サーバ４５２によって送信された特典取得コードを受信する。
【０２８４】
次に、ステップＳ２１３において、システム制御部１１０は、通信制御部１１４によって受信された特典取得コードをテレビ５００に表示する。
【０２８５】
（実施の形態６）
図２７は、本開示の実施の形態６に係るコピー制御システムの全体構成を示す図である。実施の形態６に係るコピー制御システムの基本処理は、図１６に示すコピー制御システムと同じであるが、特典取得コードが情報記録再生装置１００に入力されるのではなく、ユーザＩＤ６００が情報記録再生装置１００に入力される点が異なる。一旦、機器ＩＤとユーザＩＤとの対応関係をコピー管理サーバ２０１に記憶させる、または、情報記録再生装置１００内にユーザＩＤを紐付けて記憶させることにより、毎回特典取得コードを入力する必要がなくなる。情報記録再生装置１００からの要求に対応するユーザＩＤに対してコピー権を紐付け、光ディスク内のコンテンツデータをコピーすることができる。そのため、他の実施の形態とほぼ同じ動作で、より使いやすいコンテンツデータのコピーを実現することができる。
【０２８６】
図２７に示すコピー制御システムは、情報記録再生装置１００、コピー管理サーバ２０１、コンテンツプロバイダ管理サーバ４５４、テレビ５００及びスマートフォン５１０を備える。
【０２８７】
情報記録再生装置１００は、システム制御部１１０、機器ＩＤ記憶部１１２、通信制御部１１４、ユーザＩＤ管理部６１０、再生制御部１１８、録画制御部１２０、暗号処理部１２２、ＳＦＦ変換部１２４、記録装置制御部１３０、光ディスクドライブ１３２及び機器バインド型録画機器１３４を備える。
【０２８８】
ユーザＩＤ管理部６１０は、ユーザによるユーザＩＤの入力を受け付ける。なお、ユーザＩＤ管理部６１０は、入力されたユーザＩＤを記憶してもよい。
【０２８９】
通信制御部１１４は、機器ＩＤ、ユーザＩＤ及びコンテンツＩＤをコピー管理サーバ２０１へ送信する。ユーザを識別するためのユーザＩＤの入力を受け付け、受け付けたユーザＩＤを他の実施の形態における許諾要求コードとして取得する。
【０２９０】
コンテンツプロバイダ管理サーバ４５４は、ＣＰ認証コード管理ＤＢ４２４、入力処理部４６０、ユーザ登録部４６５及びユーザ／コンテンツ情報管理領域４７０を備える。
【０２９１】
入力処理部４６０は、ユーザＩＤの入力を受け付けるとともに、ＣＰ認証コードの入力を受け付ける。
【０２９２】
ＣＰ認証コード管理ＤＢ４２４は、コンテンツＩＤとＣＰ認証コードとを対応付けて記憶する。また、ＣＰ認証コード管理ＤＢ４２４は、コンテンツＩＤとコピー許諾条件とを対応付けて記憶する。
【０２９３】
ユーザ登録部４６５は、入力処理部４６０によって入力されたユーザＩＤと、入力処理部４６０によって入力されたＣＰ認証コードに基づいて取得されたコンテンツＩＤとを対応付けてユーザ／コンテンツ情報管理領域４７０に登録する。また、ユーザ登録部４６５は、コンテンツＩＤ、ユーザＩＤ及びコピー許諾条件をコピー管理サーバ２０１へ送信する。ユーザ／コンテンツ情報管理領域４７０は、ユーザＩＤとコンテンツＩＤとを対応付けて記憶する。
【０２９４】
コピー管理サーバ２０１は、複製処理管理部２１０、ユーザ／コンテンツ情報管理領域２６０及びコピー不可機器管理ＤＢ２３０を備える。
【０２９５】
ユーザ／コンテンツ情報管理領域２６０は、コンテンツＩＤ及びユーザＩＤの組合せとコピー許諾条件とを対応付けて記憶する。
【０２９６】
複製処理管理部２１０は、情報記録再生装置１００によって送信された機器ＩＤ、ユーザＩＤ及びコンテンツＩＤを受信する。複製処理管理部２１０は、受信したコンテンツＩＤ及びユーザＩＤの組合せが、ユーザ／コンテンツ情報管理領域２６０に格納されていることを確認し、受信されたコンテンツＩＤに対応付けられているコピー許諾条件を取り出し、取り出したコピー許諾条件を情報記録再生装置１００に返信する。
【０２９７】
なお、複製処理管理部２１０は、コンテンツＩＤ及びユーザＩＤの組合せと、組合せに対して対応付けられているコピー許諾条件とを、光ディスク（可搬型記録媒体）を製造するコンテンツプロバイダが運営するサーバから取得（受信）する。複製処理管理部２１０は、取得されたコンテンツＩＤ、ユーザＩＤ及びコピー許諾条件を特典取得コード管理ＤＢ２２０に登録する。
【０２９８】
また、コピー管理サーバ２０１は、ＳＦＦ変換用ＴＫ管理ＤＢ２４０及びエクスポートデータ管理ＤＢ２５０を備えてもよい。
【０２９９】
図２８は、本実施の形態６における情報記録再生装置及びコピー管理サーバの動作の一例を示すフローチャートである。
【０３００】
まず、ステップＳ２２１において、情報記録再生装置１００のユーザＩＤ管理部６１０は、ユーザによるユーザＩＤの入力を受け付ける。
【０３０１】
ステップＳ２２２及びステップＳ２２３の処理は、図４に示すステップＳ２及びステップＳ３の処理と同じであるので説明を省略する。
【０３０２】
次に、ステップＳ２２４において、通信制御部１１４は、ユーザＩＤ、コンテンツＩＤ及び機器ＩＤを含むコピー要求情報をコピー管理サーバ２０１に送信する。
【０３０３】
ステップＳ２２５及びステップＳ２２６の処理は、図４に示すステップＳ５及びステップＳ６の処理と同じであるので説明を省略する。
【０３０４】
コピー不可機器管理ＤＢ２３０に機器ＩＤが登録されていないと判断された場合（ステップＳ２２６でＮＯ）、ステップＳ２２７において、複製処理管理部２１０は、受信したコピー要求情報に含まれるコンテンツＩＤとユーザＩＤとの組合せが、ユーザ／コンテンツ情報管理領域２６０にあるか否かを判断する。ここで、コンテンツＩＤとユーザＩＤとの組合せがユーザ／コンテンツ情報管理領域２６０にないと判断された場合（ステップＳ２２７でＮＯ）、複製処理管理部２１０は処理を終了させる。このとき、複製処理管理部２１０は、ユーザＩＤが登録されていない旨を示す未登録情報を情報記録再生装置１００へ送信してもよい。情報記録再生装置１００は、未登録情報を受信すると、ユーザＩＤが登録されていないため、コピーできない旨を示す表示画面を表示してもよい。
【０３０５】
一方、コンテンツＩＤとユーザＩＤとの組合せがユーザ／コンテンツ情報管理領域２６０にあると判断された場合（ステップＳ２２７でＹＥＳ）、ステップＳ２２８において、複製処理管理部２１０は、コンテンツＩＤに対応するコピー許諾条件をユーザ／コンテンツ情報管理領域２６０から読み出す。ここで、コピー許諾条件は、予め指定されるコピー可能な機器、メディア又はネットワーク上のドメインの３つのバインド方式のうちのいずれかを選択すること、及びコピー後のコンテンツデータのファイルフォーマットを選択することである。
【０３０６】
ステップＳ２２９〜ステップＳ２３２の処理は、図１１に示すステップＳ４９〜ステップＳ５２の処理と同じであるので説明を省略する。また、ステップＳ２３２以降の処理は、図１２に示すステップＳ５３〜ステップＳ６６の処理と同じであるので説明を省略する。
【０３０７】
図２９は、本実施の形態６における情報記録再生装置、コピー管理サーバ及びコンテンツプロバイダ管理サーバの動作の一例を示すフローチャートである。
【０３０８】
まず、ステップＳ２４１において、情報記録再生装置１００のユーザＩＤ管理部６１０は、ユーザによるユーザＩＤの入力を受け付ける。なお、システム制御部１１０は、ユーザＩＤをコピー管理サーバ２０１に登録するためのユーザＩＤ登録画面をテレビ５００に表示する。ユーザＩＤ登録画面では、ユーザＩＤの入力が促される。
【０３０９】
次に、ステップＳ２４２において、ユーザＩＤ管理部６１０は、ユーザによるＣＰ認証コードの入力を受け付ける。ＣＰ認証コードは、コピーを希望する光ディスク３１０のパッケージに同梱されている。
【０３１０】
次に、ステップＳ２４３において、通信制御部１１４は、ユーザＩＤ管理部６１０によって入力されたユーザＩＤ及びＣＰ認証コードをコンテンツプロバイダ管理サーバ４５４へ送信する。
【０３１１】
次に、ステップＳ２４４において、コンテンツプロバイダ管理サーバ４５４の入力処理部４６０は、情報記録再生装置１００によって送信されたユーザＩＤ及びＣＰ認証コードを受信する。
【０３１２】
次に、ステップＳ２４５において、ユーザ登録部４６５は、受信したＣＰ認証コードに対応するコンテンツＩＤをＣＰ認証コード管理ＤＢ４２４から読み出す。
【０３１３】
次に、ステップＳ２４６において、ユーザ登録部４６５は、受信したユーザＩＤと、ＣＰ認証コード管理ＤＢ４２４から読み出したコンテンツＩＤとを対応付けてユーザ／コンテンツ情報管理領域４７０に登録する。
【０３１４】
次に、ステップＳ２４７において、ユーザ登録部４６５は、コンテンツＩＤに対応するコピー許諾条件をＣＰ認証コード管理ＤＢ４２４から読み出し、コンテンツＩＤ、ユーザＩＤ及びコピー許諾条件をコピー管理サーバ２０１へ送信する。
【０３１５】
次に、ステップＳ２４８において、コピー管理サーバ２０１の複製処理管理部２１０は、コンテンツプロバイダ管理サーバ４５４によって送信されたコンテンツＩＤ、ユーザＩＤ及びコピー許諾条件を受信する。
【０３１６】
次に、ステップＳ２４９において、複製処理管理部２１０は、受信したコンテンツＩＤ、ユーザＩＤ及びコピー許諾条件をユーザ／コンテンツ情報管理領域２６０に登録する。
【０３１７】
コンテンツＩＤ、ユーザＩＤ及びコピー許諾条件の登録が完了すると、ステップＳ２５０において、複製処理管理部２１０は、登録完了通知をコンテンツプロバイダ管理サーバ４５４へ送信する。
【０３１８】
次に、ステップＳ２５１において、コンテンツプロバイダ管理サーバ４５４のユーザ登録部４６５は、コピー管理サーバ２０１によって送信された登録完了通知を受信する。
【０３１９】
なお、本実施の形態６では、情報記録再生装置１００からユーザＩＤ及びＣＰ認証コードが入力されるが、本開示は特にこれに限定されない。例えば、モバイル機器又はパーソナルコンピュータからユーザＩＤ及びＣＰ認証コードが入力されてもよい。
【０３２０】
本実施の形態１〜６において、コピー制御システムは、光ディスクの購入者に対し、情報記録再生装置でのコンテンツデータの再生に加え、画質を低下させずにホームサーバ又はモバイル機器でのコンテンツデータの再生を可能にする。同時に、コンテンツプロバイダは、デジタル配信のプラットホームを流用することにより、適切に顧客情報の収集を実現することができる。この際、小規模のコンテンツプロバイダは、自社でサーバを準備する必要がない。
【０３２１】
また、特典取得コードの購入による課金処理を導入することにより、情報記録再生装置及び管理サーバから課金処理を排除することができる。光ディスクの購入者がコピーを行う前に、コンテンツプロバイダ又はデジタル小売業者が課金を行う。管理サーバ又は情報記録再生装置は、個人情報、価格及びクレジットカード等の情報を全く受け取らずに、課金処理の結果のみを受け取ることにより、簡単なユーザアクションのみで光ディスクに記録されたコンテンツデータのコピーを実現することができる。
【０３２２】
具体的には、光ディスクパッケージの販売時に、光ディスクに記録されたコンテンツデータをコピーする権利に対する料金を、光ディスクパッケージの料金に含めて販売する。そして、料金の支払い証明として、特典取得コードを利用する。この場合、情報記録再生装置は特典取得コードの入力インターフェースのみを備え、入力された特典取得コードと光ディスクのコンテンツＩＤ（例えば、コンテンツの名称）と機器ＩＤとを管理サーバに送ることにより、機器の正当性（不正改造機の除外）と特典取得コードの正当性とが確認され、コピー許諾条件が確認され、光ディスクに記録されたコンテンツデータのコピーを実行することができる。
【０３２３】
また、管理サーバは、コンテンツプロバイダの要求に応じでコンテンツＩＤと特典取得コードとの組合せと、コピー許諾条件（コピー回数、コピーのファイル形式、ＤＲＭ、又はデジタル小売業者等）とをデータベースに登録し、維持及び管理することができる。このデータベースが使用されることにより、情報記録再生装置からの問い合わせに応じ、適切な条件でのコピーの許諾又は不許可を返答することができる。また、直接個人情報を管理することなく、特定の機器のユーザが、どのようなコンテンツをコピーしたかを把握することが可能になる。
【０３２４】
コンテンツプロバイダは、光ディスクパッケージに同梱する特典取得コードとコンテンツＩＤとの組合せと、コピー許諾条件とを管理サーバに登録するだけでよい。そのため、小規模のコンテンツプロバイダでも十分に利用可能である。
【０３２５】
特典取得コードは、光ディスクパッケージに紙媒体で同梱されることに限定していない。そのため、コピー権が付加されていない光ディスクパッケージをデジタル小売業者から購入したユーザは、購入した光ディスクのコピー権をデジタル小売業者から購入し、特典取得コードを取得することも可能である。この場合、取得した特典取得コードを情報記録再生装置に入力すれば、光ディスクに記録されたコンテンツデータのコピーが可能になる。
【０３２６】
同様に、光ディスクレンタル業者がコンテンツプロバイダから許諾を受けることができれば、レンタルした光ディスクの映像コンテンツをユーザが気に入った場合に、光ディスクレンタル業者のデジタル販売サイトにおいて、レンタル中の映像コンテンツのコピー権を購入し、特典取得コードを取得することも可能である。
【０３２７】
また、デジタル小売業者又は光ディスクレンタル業者の販売サイトでコピー権を購入し、業者の識別ＩＤと管理サーバのユーザＩＤと情報記録再生装置のユーザＩＤとの関連付けをユーザが許諾した場合、ユーザは特典取得コードを入力する必要がなく、ユーザＩＤを指定して情報記録再生装置を利用すれば、管理サーバ経由でコピー許諾条件が設定される。そのため、より簡単に光ディスクに記録されたコンテンツデータのコピーが可能になる。
【０３２８】
また、情報記録再生装置は、課金処理を排除し、簡単な特典取得コード又はユーザＩＤを入力するためのユーザインターフェースと管理サーバとの簡単な通信処理のみで、光ディスクに記録されたコンテンツデータのコピー機能を実装することができる。このため、情報記録再生装置の製造コストを低下することができ、情報記録再生装置を普及させることができる。また、簡単なインターフェースで実装できるため、情報記録再生装置の新たな付加価値を提供できる。
【０３２９】
管理サーバは、課金処理を排除し、簡単な特典取得コード又はユーザＩＤとコンテンツを管理し、情報記録再生装置との簡単な通信処理のみで、光ディスクに記録されたコンテンツデータのコピー機能を実装することができる。このため、管理サーバの実装負担と運用コストとを削減することができ、コピー機能の普及が期待できる。
【０３３０】
コンテンツプロバイダ又はデジタル小売業者は、専用の課金処理を開発する必要がなく、一般的に使用されているＷｅｂ販売サイト又はデジタルコンテンツ販売サイトで、特典取得コード又はコピー権をユーザに販売し、販売状況を適宜管理サーバと共有するだけでよい。このため、光ディスクの付加機能としてのコピー機能の提供が、比較的容易に且つ安価に実現可能になり、コピー機能の普及が期待できる。
【０３３１】
また、通常の販売サイトが利用できるため、コンテンツプロバイダ又はデジタル小売業者の都合で、プロモーション、価格設定及び価格改定を、管理サーバとは無関係に適宜実施することができる。
【０３３２】
更に、最終的に、特典取得コード又はユーザＩＤが情報記録再生装置又は管理サーバに登録されるのみで、著作権者の指定したコピー許諾条件でコピー機能が提供されるので、様々なビジネスモデルを自由に構築可能である。
【０３３３】
ユーザは、クレジットカード番号の入力等の煩雑な課金処理を行う必要が無く、情報記録再生装置に対してセキュリティの不安を感じる必要がないので、安心してコピー機能を利用できる。また、課金は、光ディスクパッケージの購入時又はデジタル小売業者のサイト等で行われるため、簡単に安心してコピー機能を利用することができる。また、本実施の形態におけるコピー機能は、既存のデジタルコピーに比べて画質が良く、ネットワークを介してダウンロードする手間が不要である。従って、ユーザは、場所に関係なく高画質でコンテンツを視聴したい場合は、本実施の形態におけるコピー機能を利用し、低画質でもよいので、カジュアルにパーソナルコンピュータ又はモバイル機器でコンテンツを視聴したい場合は、既存のデジタルコピーを利用してもよい。本実施の形態におけるコピー機能と既存のデジタルコピーとの併用も可能である。
【産業上の利用可能性】
【０３３４】
本開示に係る情報機器、管理サーバ及びコピー制御方法は、コンテンツデータのコピーの許諾を要求するための許諾要求コードを用いて、可搬型記録媒体に記録されているコンテンツデータを他の記録媒体に容易にコピーすることができ、可搬型記録媒体に記録されているコンテンツデータを他の記録媒体にコピーする情報機器、管理サーバ及びコピー制御方法に有用である。
【符号の説明】
【０３３５】
１００    情報記録再生装置
１１０    システム制御部
１１２    機器ＩＤ記憶部
１１４    通信制御部
１１６    入力処理部
１１８    再生制御部
１２０    録画制御部
１２２    暗号処理部
１２４    ＳＦＦ変換部
１３０    記録装置制御部
１３２    光ディスクドライブ
１３４    機器バインド型録画機器
１３６    メディアバインド型録画機器
１３８    メモリカード
２００，２０１    コピー管理サーバ
２１０    複製処理管理部
２２０    特典取得コード管理ＤＢ
２３０    コピー不可機器管理ＤＢ
２４０    ＳＦＦ変換用ＴＫ管理ＤＢ
２５０    エクスポートデータ管理ＤＢ
２６０    コンテンツ情報管理領域
３１０    光ディスク
３３０    特典取得コード
３３２    ＣＰ認証コード
３３４    特典取得コード
３５０    光ディスクパッケージ
４００    コンテンツプロバイダ管理サーバ
４１０    特典取得コード登録部
４２０    特典取得コード管理ＤＢ
４２２    特典取得コード管理ＤＢ
４２４    ＣＰ認証コード管理ＤＢ
４２６    コンテンツＩＤ変換ＤＢ
４５０，４５２，４５４    コンテンツプロバイダ管理サーバ
４６０    入力処理部
４６５    ユーザ登録部
４７０    コンテンツ情報管理領域
４９０    特典取得コード変換部
４９２    特典取得コード検索部
４９５    特典取得コード出力部
５００    テレビ
５０１    エクスポート管理サーバ
５１０    スマートフォン
５２０    タブレット型コンピュータ
６１０    ユーザＩＤ管理部
【図１】
2018077930.tif 000003
【図２】
2018077930.tif 000004
【図３】
2018077930.tif 000005
【図４】
2018077930.tif 000006
【図５】
2018077930.tif 000007
【図６】
2018077930.tif 000008
【図７】
2018077930.tif 000009
【図８】
2018077930.tif 000010
【図９】
2018077930.tif 000011
【図１０】
2018077930.tif 000012
【図１１】
2018077930.tif 000013
【図１２】
2018077930.tif 000014
【図１３】
2018077930.tif 000015
【図１４】
2018077930.tif 000016
【図１５】
2018077930.tif 000017
【図１６】
2018077930.tif 000018
【図１７】
2018077930.tif 000019
【図１８】
2018077930.tif 000020
【図１９】
2018077930.tif 000021
【図２０】
2018077930.tif 000022
【図２１】
2018077930.tif 000023
【図２２】
2018077930.tif 000024
【図２３】
2018077930.tif 000025
【図２４】
2018077930.tif 000026
【図２５】
2018077930.tif 000027
【図２６】
2018077930.tif 000028
【図２７】
2018077930.tif 000029
【図２８】
2018077930.tif 000030
【図２９】
2018077930.tif 000031
【図３０】
2018077930.tif 000032